(57)【要約】  焼成食品からの取り外しおよび分離を容易にするための１本以上の破断線を有する焼成容器が本明細書に記載される。焼成容器は、側壁および平坦底面を有する。１本以上の破断線は、側壁の高さを下り、平坦底面の一部または全てにわたって延びていてもよい。均一な間隔を有する破断線は、帯を形成してもよく、帯は、側壁を通って容易に裂けるための引っ張りタブを有してもよい。帯は、紐またはリボンで補強されてもよい。破断線は、焼成容器の領域をミシン目または弱化させることによって形成されてもよい。【選択図】図１Ａ
2021533050.tif 000002
【特許請求の範囲】
【請求項１】
焼成容器であって、
周縁を有する平坦底面と、
前記周縁からリムまで延びる側壁と、
前記リムから前記周縁上の第１の点まで延び、前記周縁上の前記第１の点から前記周縁内に位置する前記平坦底面上の第２の点まで延びる破断線とを有し、
破断線は、引き裂かれて、側壁を開き、側壁の中に含まれる焼成食品からの取り外しおよび／または焼成食品の消費を容易にするように構成されている、焼成容器。
【請求項２】
前記破断線が、前記第１の点から前記周縁の反対側に位置する第３の点までさらに延びる、請求項１に記載の焼成容器。
【請求項３】
前記破断線が、前記平坦底面の中心を横切らない、請求項２に記載の焼成容器。
【請求項４】
前記破断線が、前記平坦底面の中心を横切る、請求項２に記載の焼成容器。
【請求項５】
前記破断線が、前記平坦底面上で湾曲している、請求項２に記載の焼成容器。
【請求項６】
前記破断線が、前記第３の点から、前記第１の点から前記側壁の反対側に位置する第４の点までさらに延びる、請求項２に記載の焼成容器。
【請求項７】
前記破断線が、前記第３の点から前記リム上に位置する第５の点までさらに延びる、請求項２に記載の焼成容器。
【請求項８】
前記焼成容器が、２つの部分に完全に分離されるように構成されている、請求項７に記載の焼成容器。
【請求項９】
前記焼成容器が２つの部分に完全に分離されるとき、前記焼成容器の１つの部分が、前記食品と接触したままになるように構成されている、請求項８に記載の焼成容器。
【請求項１０】
前記食品と接触したままになるように構成された前記焼成容器の前記部分が、前記焼成容器の総側壁面積の５５〜８０％である残りの側壁面積を有する、請求項９に記載の焼成容器。
【請求項１１】
前記食品と接触したままになるように構成された前記焼成容器の前記部分が、前記焼成容器の総平坦底面面積の１０〜４０％である残りの平坦底面面積を有する、請求項９に記載の焼成容器。
【請求項１２】
前記破断線が、前記リムから前記周縁までの最短経路を辿って、前記周縁と実質的に垂直な角度を形成する、請求項１に記載の焼成容器。
【請求項１３】
前記破断線が、前記リムから前記周縁までの最短経路にたどらず、前記周縁と実質的に垂直な角度を形成しない、請求項１に記載の焼成容器。
【請求項１４】
前記破断線が、前記周縁と交差して、２０°〜７０°の最小角度を形成している、請求項１３に記載の焼成容器。
【請求項１５】
前記破断線を形成しない前記側壁または平坦底面の一部が、前記破断線で抵抵抗する最大力よりも０．２〜１０倍大きい最大力に抵抗する、請求項１に記載の焼成容器。
【請求項１６】
前記破断線が、前記側壁、前記平坦底面、またはそれら両方の前記材料を弱めることによって形成されている、請求項１に記載の焼成容器。
【請求項１７】
前記破断線が、凹みまたは切れ目によって形成されている、請求項１に記載の焼成容器。
【請求項１８】
前記破断線が、ミシン目によって形成されている、請求項１に記載の焼成容器。
【請求項１９】
前記ミシン目が、ドット、ピンホール、または実質的に円形の穴である、請求項１８に記載の焼成容器。
【請求項２０】
前記ドット、ピンホール、または穴が、０．０５〜１．００ｍｍの内径を有する、請求項１９に記載の焼成容器。
【請求項２１】
前記側壁、前記平坦底面、またはそれらの両方の前記ミシン目が、０．５〜１．５ｍｍ間隔である、請求項１８に記載の焼成容器。
【請求項２２】
前記ミシン目が、０．０５〜１．００ｍｍの幅および１．５：１〜５：１のアスペクト比を有する細長いスリットを含む、請求項１８に記載の焼成容器。
【請求項２３】
前記細長いスリットが、前記破断線に沿った細長い軸を有する、請求項２２の焼成容器。
【請求項２４】
前記細長いスリットが、前記破断線の経路と２０°〜６０°の角度を形成する細長い軸を有する、請求項２２の焼成容器。
【請求項２５】
前記破断線が、隣接する側壁、隣接する平坦底面、またはその両方を強化することによって形成されている、請求項１に記載の焼成容器。
【請求項２６】
前記隣接する側壁が、その厚さを増加させることによって強化されている、請求項２５に記載の焼成容器。
【請求項２７】
前記側壁が、溝付き、折り目付き、リブ付き、波形、またはプリーツ付きである、請求項１に記載の焼成容器。
【請求項２８】
前記側壁が、平滑である、請求項１に記載の焼成容器。
【請求項２９】
前記破断線に沿って位置する、糸、折り目、ステッカー、またはリボンをさらに備える、請求項１に記載の焼成容器。
【請求項３０】
折り目が存在し、前記折り目は、前記破断線を破断させるようにつまんで、引くように構成されている、請求項２９に記載の焼成容器。
【請求項３１】
前記糸、折り目、ステッカー、またはリボンが、０．５〜６ｍｍの幅または直径を有する、請求項２９に記載の焼成容器。
【請求項３２】
前記糸、折り目、ステッカー、またはリボンが、２〜４０ｃｍの全長を有する、請求項２９に記載の焼成容器。
【請求項３３】
前記破断線に位置する引っ張りタブをさらに備える、請求項１に記載の焼成容器。
【請求項３４】
前記破断線が、異なる着色またはテクスチャリングによって位置が示されている、請求項１に記載の焼成容器。
【請求項３５】
前記破断線に沿った継ぎ目をさらに備える、請求項１に記載の焼成容器。
【請求項３６】
前記リムの一部に取り付けられた蓋をさらに備える、請求項１に記載の焼成容器。
【請求項３７】
前記側壁が、２つの材料層を含む、請求項１に記載の焼成容器。
【請求項３８】
前記側壁の内部が、前記側壁の外部からは見えない装飾、広告、グラフィック、画像、テキスト、または着色を含む、請求項１に記載の焼成容器。
【請求項３９】
第２の破断線をさらに含み、前記破断線および前記第２の破断線が、前記引裂帯の長さに沿って実質的に一定の幅を有する引裂帯を形成する、請求項１に記載の焼成容器。
【請求項４０】
前記平坦底面が、実質的に円形である、請求項１に記載の焼成容器。
【請求項４１】
前記リムの直径対前記周縁の直径の比が、１：１〜２：１である、請求項４０に記載の焼成容器。
【請求項４２】
前記平坦底面が、アスペクト比が１：１〜１０：１の、実質的に長方形である、請求項１に記載の焼成容器。
【請求項４３】
前記破断線が、切り欠きで前記リムに接続する、請求項１に記載の焼成容器。
【請求項４４】
焼成容器であって、
周縁を有する平坦底面と、
前記周縁からリムまで延びる側壁と、
前記リムから前記周縁上の第１の点対まで延びる２本の破断線と、を備え、
前記２本の破断線が、前記２本の破断線に沿って引き裂かれるように構成された帯を形成し、
帯は、引き裂かれて、側壁を開き、側壁の中に含まれる食品からの取り外しおよび／または食品の消費を容易にするように構成されている、焼成容器。
【請求項４５】
前記２本の破断線が、前記第１の点対から前記平坦底面上の第２の点対に延び、前記第２の点対が前記周縁内に位置する、請求項４４に記載の焼成容器。
【請求項４６】
前記２本の破断線が、前記第１の点対から前記周縁の反対側に位置する第３の点対にさらに延びる、請求項４５に記載の焼成容器。
【請求項４７】
前記２本の破断線が、前記第３の点対から、前記第１の点対から前記側壁の反対側に位置する第４の点対にさらに延びる、請求項４６に記載の焼成容器。
【請求項４８】
前記２本の破断線が、前記第３の点対から、前記リム上に位置する第５の点対までさらに延びる、請求項４６に記載の焼成容器。
【請求項４９】
前記帯は、前記側壁および／または前記平坦底面を形成する他の場所の材料よりも１．０５〜１０．００倍の平均厚さを有する材料から形成されている、請求項４４に記載の焼成容器。
【請求項５０】
前記帯が、前記帯をつまんで、引いて、引き裂くように構成された引っ張りタブまたは折り目をさらに備える、請求項４４に記載の焼成容器。
【請求項５１】
引っ張りタブまたは折り目が、前記平坦底面の底面上に位置する、請求項４４に記載の焼成容器。
【請求項５２】
引っ張りタブが存在し、前記引っ張りタブは、前記帯の幅よりも大きい幅を有する、請求項５１に記載の焼成容器。
【請求項５３】
焼成容器であって、
周縁を有する平坦底面と、
周縁からリムまで延びる側壁と、
前記リムから前記側壁上の第１の点対まで、および前記第１の点対から前記側壁の円周に沿って延びる２本の破断線と、を備え、
２本の破断線が、２本の破断線に沿って引き裂かれるように構成された帯を形成し、
前記帯は、前記焼成容器の底部部分を前記食品と接触させたままにしながら、引き裂かれて、前記側壁を開き、前記側壁の中に含まれる食品からの取り外しを容易にするように構成されている、焼成容器。
【請求項５４】
前記底面部分が、前記側壁の前記総高さの５〜５０％である高さを有する、請求項５３に記載の焼成容器。
【請求項５５】
焼成容器であって、
周縁を有する平坦底面と、
前記周縁からリムまで延びる側壁と、
前記リムから前記側壁上の第１の点対まで延びる第１の破断線と、
共に前記第１の点対から前記側壁の円周に沿って延びる、第２の破断線および第３の破断線と、を含み、
前記第２および第３の破断線は、前記第２および第３の破断線に沿って引き裂かれるように構成された帯を形成し、
前記帯は、前記焼成容器の底部部分を前記食品と接触させたままにしながら、引き裂かれて、前記側壁を開き、前記側壁の中に含まれる食品からの取り外しを容易にするように構成されている、焼成容器。
【発明の詳細な説明】
【技術分野】
【０００１】
関連出願の相互参照
本出願は、２０１８年８月１日に出願された米国仮出願第６２／７１３，２９４号からの優先権の利益を主張するものであり、その全体が参照により本明細書に組み込まれる。
【０００２】
本発明は、焼成容器（baking container）の一部を引き裂くおよび／または分離して、焼成容器の中に含まれる焼成品の取り出しを容易にするように構成された構造を有する焼成容器に関する。
【背景技術】
【０００３】
本明細書で提供される「背景」記述は、一般に本開示の文脈を提示する目的のためである。本背景技術に記載されるここで発明者と称する者の研究、ならびに出願時に従来技術として認定されない場合もある態様は、本発明に抗する従来技術として明示的または黙示的に認められない。
【０００４】
水分が多く、形状の定まらない生地とバターの焼成（baking）では、オーブンで利用可能な焼き型および皿は、完成した焼成品に形状と支持を提供するために使用される。これらの生地およびバターは、これらの焼き型および皿と直接接触するように投入されてもよいが、代わりに、生地またはバターを、焼成容器内に配置された様々な材料、通常は紙から作られたライナーに投入してもよい。これらのライナーは、クッキングシートとしても知られており、焼成および盛り付けるのにいくつかの利点がある。
【０００５】
まず、これらのライナーは、ライナーが焼き型に付着しない傾向があるため、焼き型から焼成品を簡単に取り外すことができる。さらに、焼成中にバターまたは生地がライナー内に収まっている場合、焼き型の清浄は最小限に抑えられる。あるいは、一部のライナーは、それらの側面での支持を必要とせずに、自立することが可能であってもよい。
【０００６】
第二に、ベーキングライナーは、焼成品の土台に包装を提供し、輸送を容易にし、崩れを最小限に抑えることができる。一部の焼成品については、焼成品は、乾燥量を減らし、鮮度をより良く保つことができる。加えて、ベーキングライナーにより、所望されるまで、食品に直接触れることなく、焼成品を取り扱うことを可能になる。
【０００７】
第三に、ベーキングライナーは、異なる形状に着色または形成することができるため、焼成品に装飾的な手法を提供する。ベーキングライナーは、異なるパターン、グラフィック、および広告で簡単に細部の装飾を施すことができる。
【０００８】
最後に、ベーキングライナーは、焼成品を消費する手段を提供する。手持ちの焼成食品（マフィンまたはカップケーキなど）は、ベーキングライナーによって片側を保持さして、反対側から消費されてもよい。あるいは、小型プレートのように焼成品の側面からベーキングライナーを分離して平らにして、食事用表面を提供するか、またはくずを収容することができる。ケーキローフなどのより大きな焼成品の場合、ベーキングライナーは、切れ味の悪いナイフまたは盛り付け用器具に、切断に使うための表面を提供することもできる。どのサイズの焼成品でも、一部消費された食品は、ベーキングライナーで再び包装することができる。
【０００９】
上記の利点のいくつかを付け加えると、焼成食品は、しばしばベーキングライナーに付着してもよい。焼成品を変形させることなく焼成ライナーを取り外すことは、一般に、側壁をつまんで中心から離方向に引っ張ることを伴う。しかしながら、この工程では、ベーキングライナーの側面が焼成品を押しつぶすまでは、焼成品の一部しか分離できない。したがって、側壁上の別の位置をつまんで引く必要があり、場合によってはベーキングライナーが、焼成物品の大部分を変形または引き裂くことなく取り外すことができるまで、別の位置でもつまんで引かなければならない。
【００１０】
さらに、ケーキまたはトッピングに埋め込まれた側壁の上部リムが一部のベーキングライナーを超えて充填されているため、ライナーを取り外すために上部リムから直接引き出すことが非常に困難になる。この状況では、側壁の上部からつまんで引っ張ろうと思うかもしれない。これは、側壁の上部の食い込みが側壁の下部よりも深く、より浅い食い込みよりもつまみやすい溝付き側壁の場合に、特に当てはまる。しかしながら、側壁の上部リムからつまんで引くと、オーバーハングケーキおよびトッピングの一部が引っ張られる傾向があり、台無しになる可能性がある。
【００１１】
例えば、幼い子供など、手の運動能力が異なる人にとって、自分で包装を首尾よく取り外すことは、難しすぎる場合もある。補助があっても、標準的なベーキングライナーを取り外すのにかなり時間がかかる場合がある。例えば、幼い子供の誕生日パーティーで、いくつかのカップケーキから包装紙を取り除く親は、包装紙をケーキから慎重に分離する時間が十分にない場合がある。
【００１２】
前述のことを考慮して、本発明の１つの目的は、側壁上に、そして任意で、焼成容器の底部に延びる、１本以上の破断線に沿って引き裂く、指定された経路を含む焼成容器を提供することである。側壁は、帯を作成するために、リボンまたは糸で補強されてもよい。焼成容器の取り外しを容易にするための、折り目、ステッカー、または引っ張りタブが存在してもよい。焼成容器の、制御された引き裂きを可能にすることによって、焼成容器を焼成品から効率的かつきれいに分離することが可能でもよい。
【発明の概要】
【００１３】
第１の態様によれば、本開示は、焼成容器に関する。焼成容器は、周縁を有する平坦底面と、周縁からリムに延びる側壁と、リムから周縁上の第１の点に延び、周縁上の第１の点から周縁内に位置する平坦底面上の第２の点に延びる破断線とを有する。破断線は、引き裂かれて、側壁を開き、側壁に含まれる焼成食品からの取り外しおよび／または焼成食品の消費を容易にするように構成される。
【００１４】
一実施形態では、破断線は、第１の点から周縁の反対側に位置する第３の点にさらに延びる。
【００１５】
一実施形態では、破断線は、平坦底面の中心を横切らない。
【００１６】
一実施形態では、破断線は、平坦底面を横切って中心にある。
【００１７】
一実施形態では、破断線は、第３の点から、第１の点から側壁の反対側に位置する第４の点までさらに延びる。
【００１８】
一実施形態では、破断線は、第３の点から、リム上に位置する第５の点までさらに延びる。
【００１９】
さらなる実施形態では、焼成容器は、２つの部分に完全に分離されるように構成される。
【００２０】
さらなる実施形態では、焼成容器の１つの部分は、焼成容器が２つの部分に完全に分離されるとき、食品と接触したままになるように構成される。
【００２１】
さらなる実施形態では、食品と接触したままになるように構成された焼成容器の部分は、焼成容器の総側壁面積の５５〜８０％である残りの側壁面積を有する。
【００２２】
さらなる実施形態では、食品と接触したままになるように構成された焼成容器の部分は、焼成容器の総平坦底面積の１０〜４０％である残りの平坦底面積を有する。
【００２３】
一実施形態では、破断線は、リムから周縁部への最短経路を辿って、周縁部と実質的に垂直な角度を形成する。
【００２４】
一実施形態では、破断線は、リムから周縁部への最短経路を辿らず、周縁部と実質的に垂直な角度を形成しない。
【００２５】
さらなる実施形態では、破断線は、周縁と交差して、２０°〜７０°の最小角度を形成している。
【００２６】
一実施形態では、破断線を形成しない側壁または平坦底面の一部は、破断線で抵抗される最大力よりも０．２〜１０倍大きい最大力に抵抗する。
【００２７】
一実施形態では、破断線は、側壁、平坦底面、またはそれら両方の材料を弱めることによって形成される。
【００２８】
一実施形態では、破断線は、凹みまたは切れ目によって形成される。
【００２９】
一実施形態では、破断線は、ミシン目によって形成される。
【００３０】
さらなる実施形態では、ミシン目は、ドット、ピンホール、または実質的に円形の穴である。
【００３１】
一実施形態では、ドット、ピンホール、または穴は、０．０５〜１．００ｍｍの内径を有する。
【００３２】
さらなる実施形態において、側壁、平坦底面、またはそれら両方上のミシン目は、０．５〜１．５ｍｍ間隔である。
【００３３】
一実施形態では、ミシン目は、０．０５〜１．００ｍｍの幅および１．５：１〜５：１のアスペクト比を有する細長いスリットを含む。
【００３４】
さらなる実施形態において、細長いスリットは、破断線に沿って細長い軸を有する。
【００３５】
一実施形態では、細長いスリットは、破断線の経路と２０°〜６０°の角度を形成する細長い軸を有する。
【００３６】
一実施形態では、破断線は、隣接する側壁、隣接する平坦底面、またはそれら両方を強化することによって形成される。
【００３７】
さらなる実施形態において、隣接する側壁は、その厚さを増加させることによって強化される。
【００３８】
一実施形態では、側壁は、溝付き、折り目付き、リブ付き、波形、またはプリーツ付きである。
【００３９】
一実施形態では、側壁は、平滑である。
【００４０】
一実施形態では、焼成容器は、さらに、破断線に沿って位置する糸、折り目、ステッカー、またはリボンを含む。
【００４１】
一実施形態では、折り目が存在し、折り目は、つまんで引いて、破断線を破断させるように構成される。
【００４２】
一実施形態では、糸、折り目、ステッカー、またはリボンは、０．５〜６ｍｍの幅または直径を有する。
【００４３】
一実施形態では、糸、折り目、ステッカー、またはリボンは、２〜４０ｃｍの全長を有する。
【００４４】
一実施形態では、焼成容器は、破断線に位置する引っ張りタブをさらに備える。
【００４５】
一実施形態では、破断線は、異なる着色またはテクスチャリングによって位置が示される。
【００４６】
一実施形態では、焼成容器は、破断線に沿った継ぎ目をさらに備える。
【００４７】
一実施形態では、焼成容器は、リムの一部に取り付けられた蓋をさらに備える。
【００４８】
一実施形態では、側壁は、２つの材料層を含む。
【００４９】
一実施形態では、側壁の内部は、側壁の外部からは見えない装飾、広告、グラフィック、画像、テキスト、または着色を含む。
【００５０】
一実施形態では、焼成容器は、第２の破断線をさらに含み、破断線および第２の破断線は、引裂帯の長さに沿って実質的に一定の幅を有する引裂帯を形成する。
【００５１】
一実施形態では、平坦底面は、実質的に円形である。
【００５２】
さらなる実施形態では、平坦底面が実質的に円形である場合、リムの直径対周縁の直径の比は、１：１〜２：１である。
【００５３】
一実施形態では、平坦底面は、１：１〜１０：１のアスペクト比を有する実質的に長方形である。
【００５４】
第２の態様によれば、本開示は、焼成容器に関する。焼成容器は、周縁と、周縁からリムに延びる側壁と、リムから周縁上の第１の点対に延びる２本の破断線とを有する平坦底面を有する。２本の破断線は、２本の破断線に沿って引き裂かれるように構成された帯を形成し、帯は、引き裂かれて、側壁を開き、側壁の中に含まれる食品からの取り外しおよび／または食品の消費を容易にするように構成される。
【００５５】
一実施形態では、２本の破断線は、第１の点対から平坦底面上の点の第２の対に延び、第２の点対は周縁内に位置する。
【００５６】
一実施形態では、２本の破断線は、第１の点対から周縁の反対側に位置する第３の点対にさらに延びる。
【００５７】
一実施形態では、２本の破断線は、第３の点対から、第１の点対から側壁の反対側に位置する第４の点対にさらに延びる。
【００５８】
一実施形態では、２本の破断線は、第３の点対から、リム上に位置する点の第５の対にさらに延びる。
【００５９】
一実施形態では、帯は、側壁および／または平坦底面を形成する他の場所の材料よりも１．０５〜１０．００倍大きい平均厚さを有する材料から形成される。
【００６０】
一実施形態では、帯は、さらに、帯をつまんで引いて、引き裂くように構成された引っ張りタブまたは折り目を含む。
【００６１】
一実施形態では、引っ張りタブまたは折り目は、平坦底面の底側に位置する。
【００６２】
さらなる実施形態では、引っ張りタブが存在し、引っ張りタブは、帯の幅よりも大きい幅を有する。
【００６３】
第３の態様によれば、本開示は、焼成容器に関する。焼成容器は、周縁と、周縁からリムに延びる側壁と、リムから側壁上の第１の点対に延び、側壁の円周に沿って第１の点対から延びる２本の破断線とを有する平坦底面を有する。２本の破断線は、２本の破断線に沿って引き裂かれるように構成された帯を形成し、帯は、食品と焼成容器の底部とを接触させたままにしながら、引き裂かれて、側壁を開き、側壁の中に含まれる食品からの取り外しおよび／または食品の消費を容易にするように構成される。
【００６４】
一実施形態では、底面部分は、側壁の総高さの５〜５０％である高さを有する。
【００６５】
第４の態様によれば、本開示は、焼成容器に関する。焼成容器は、周縁を有する平坦底面と、周縁からリムに延びる側壁と、リムから側壁上の第１の点対に延びる第１の破断線と、共に側壁の円周に沿って第１の点対から延びる第２の破断線と第３の破断線とを有する。第２および第３の破断線は、２本の破断線に沿って引き裂かれるように構成された帯を形成し、帯は、食品と焼成容器の底部を接触させたままにしながら、引き裂かれて、側壁を開き、その中に含まれる食品からの取り外しおよび／または食品の消費を容易にするように構成される。
【００６６】
上記の段落は、一般的な序論として提供されるものであり、以下の特許請求の範囲を限定することを意図しない。説明する実施形態は、さらなる利点と共に、添付の図面と併せて以下の詳細な説明を参照することによって、最もよく理解されるであろう。
【図面の簡単な説明】
【００６７】
本開示およびそれに付随する多くの利点のより完全な理解は、添付の図面との関連で考えれば、以下の詳細な説明を参照することにより、よりよく理解され、容易に得られるようになるだろう。
【００６８】
【図１Ａ】平坦底面の周縁で終端する破断線を有する焼成容器の側面図である。
【図１Ｂ】図１Ａの焼成容器の上面図である。
【図２Ａ】平坦底面の周縁を超えて終端する破断線を有する焼成容器の側面図である。
【図２Ｂ】平坦底面の周縁内で終端する破断線を示す、図２Ａの焼成容器の上面図である。
【図３Ａ】平坦底面の周縁を超えて終端する破断線を有する焼成容器の側面図である。
【図３Ｂ】周縁の反対側で終端する破断線を示す、図３Ａの焼成容器の上面図である。
【図４Ａ】平坦底面の周縁を超えて終端する破断線を有する焼成容器の側面図である。
【図４Ｂ】側壁の反対側で終端する破断線を示す、図４Ａの焼成容器の上面図である。
【図５Ａ】平坦底面の周縁を超えて終端する破断線を有する焼成容器の側面図である。
【図５Ｂ】リムの反対側で終端する破断線を示す、図５Ａの焼成容器の上面図である。
【図６Ａ】引っ張りタブを有する焼成容器の側面図である。
【図６Ｂ】図６Ａの焼成容器の上面図であり、周縁部の一部に沿って続く破断線を示す。
【図７Ａ】引っ張りタブを有する焼成容器の側面図である。
【図７Ｂ】周縁の大部分に沿って辿る破断線を示す、図７Ａの焼成容器の上記図である。
【図８Ａ】円周方向の破断線と交差する帯を有する焼成容器である。
【図８Ｂ】開封後の図８Ａの焼成容器を示す。
【図９】図８Ａと同様の経路に帯を有する焼成容器の側面図である。
【図１０】複数の交差する帯を示す焼成容器の上面図である。
【図１１】複数の交差する帯を示す焼成容器の別の上面図である。
【図１２】引っ張りタブを有する偏心帯を示す焼成容器の上面図である。
【図１３】帯の端部につまみ点を有する焼成容器の側面図である。
【図１４】側壁上のつまみ点部分を有する焼成容器の側面図である。
【図１５】円周方向の折り目を有する焼成容器の側面図であり、その一部は、引き裂くためのつまみ点として使用されてもよい。
【図１６Ａ】底部折り目から始まる破断線を有する焼成容器の側面図である。
【図１６Ｂ】底部折り目を示す、図１６Ａの焼成容器の底面図である。
【図１７Ａ】底部折り目および凹型底部を有する焼成容器の矢視図である。
【図１７Ｂ】底部折り目から底部を横切る帯を有する、図１７Ａの焼成容器の底面図である。
【図１８】折り目および破断線の配置を有する焼成容器の底面図である。
【図１９】折り目および破断線の配置を有する別の焼成容器の底面図である。
【図２０】折り目および破断線の配置を有する別の焼成容器の底面図である。
【図２１】折り目および破断線の配置を有する焼成容器の底面図であり、折り目は装飾の一部である。
【図２２】折り目および破断線の配置を有する焼成容器の底面図である。
【図２３】連続した材料片から成形された焼成容器の矢視図である。
【図２４】内部の、ひっくり返した底部を有する焼成容器の矢視図である。
【図２５】外部の、ひっくり返したき底部を有する焼成容器の矢視図である。
【図２６】内部のひっくり返した底部と、反転Ｕ字形底部とを有する側壁を有する焼成容器の矢視図である。
【図２７】凹型底部および内部のひっくり返した部分を有する焼成容器の矢視図である。
【図２８】凹型底部および反転Ｕ字形底面部分を有する焼成容器の矢視図である。
【図２９】側壁の周囲を巻く帯に取り付けられた引っ張りタブを有する焼成容器の側面図である。
【図３０】側壁の周囲を巻く帯に取り付けられた引っ張りタブを有する別の焼成容器の側面図である。
【図３１】装飾的引っ張りタブおよび帯を有する焼成容器の側面図である。
【図３２】図３１の焼成容器とは異なる方向から開くことができる、装飾的な引っ張りタブおよび帯を有する別の焼成容器の側面図である。
【図３３】側壁上に装飾デザインを有する焼成容器と、それぞれが装飾的引っ張りタブを有する２つの帯との側面図である。
【図３４】側壁上に装飾デザインを有し、それぞれが装飾的引っ張りタブを有する２つの帯を有する別の焼成容器の側面図である。
【図３５】装飾的引っ張りタブを有する焼成容器の側面図である。
【図３６】装飾的引っ張りタブを有する別の焼成容器の側面図である。
【図３７】帯に取り付けられたリングを有する焼成容器の側面図である。
【図３８】波形リムおよび折り畳まれた引っ張りタブを有する焼成容器の側面図である。
【図３９】異なる幅で間隔をあけた引っ張りタブおよび破断線を有する焼成容器の側面図である。
【図４０】帯を補強するリボンを有する焼成容器の側面図である。
【図４１】食品を含有し、側壁の途中から始まる帯および引っ張りタブを有する焼成容器の側面図である。
【図４２】各側に２つの糸によって補強された帯を有する焼成容器の側面図である。
【図４３】帯の中央に沿って糸によって補強された帯を有する焼成容器の側面図である。
【図４４】単一の破断線を作成するリングを有する単一の糸を有する焼成容器の側面図である。
【図４５】単一の破断線を作成する単一の糸を有する焼成容器の側面図である。
【図４６】偏心帯を有する長方形の焼成容器の斜視図である。
【図４７】蓋を有する焼成容器の側面図である。
【図４８】外側側壁層内にループを有する、内側側壁層および外側側壁層を有する焼成容器の側面図である。
【図４９】内側および外側側壁層を有し、外側側壁層は円周方向のひだを有する焼成容器の側面図である。
【図５０】内側および外側側壁層を有し、外側側壁層はダイカットされる焼成容器の側面図である。
【図５１Ａ】内側および外側側壁層を有し、外側側壁層の一部は外側に折り返される焼成容器の上面図である。
【図５１Ｂ】図５１Ａの斜視図である。
【図５２】側壁内の継ぎ目から開放され得る焼成容器の側面図である。
【図５３】継ぎ目から開放され得る別の焼成容器の側面図である。
【図５４】継ぎ目から開放され、次いで破断線に沿って引き裂かれるように構成された焼成容器の側面図である。
【図５５】継ぎ目から容器を開くと、円周方向の破断線に沿って引き裂かれるように構成された焼成容器の側面図である。
【図５６】側壁がタブおよびスロットによって固定されている焼成容器の側面図である。
【図５７】対称留め具によって固定された側壁を有する焼成容器の側面図である。
【図５８】引っ張りタブを有する広い引裂帯を有する焼成容器の側面図である。
【図５９】引裂帯の底部に破断線を有する広い引裂帯を有する焼成容器の側面図である。
【図６０】リム内の切り欠きから始まる破断線を有する焼成容器の側面図である。
【図６１】リム内に引っ張りタブおよび切り欠きを有し、偏心されて引裂帯が広がる焼成容器の側面図である。
【図６２】周縁と交差しない破断線から形成される角度付き引裂帯を有する焼成容器の側面図である。
【図６３】切り欠きでリムに接続される単一の破断線を有する焼成容器の側面図である。
【図６４】湾曲した破断線底部を有する引裂帯、およびリム内の切り欠きに接続された破断線を有する焼成容器の側面図である。
【図６５】テクスチャリングされた引っ張りタブと、２本の破断線の底部を接続するヒンジとを有する広い引裂帯を有する焼成容器の側面図である。
【図６６】引っ張りタブを有する幅の、水平に横断する引裂帯を有し、引裂帯はヒンジに取り付けられる焼成容器の側面図である。
【図６７】側壁円周の大部分に続く単一の破断線を有し、引っ張りタブを有する広い水平な引裂帯を形成する焼成容器の側面図である。
【図６８】湾曲した破断線の頂部のリム内の引っ張りタブとして切り欠きおよびひだの両方を有する焼成容器の側面図である。
【図６９】側壁の底部付近の引っ張りタブに接続された湾曲した破断線を有する焼成容器の側面図である。
【図７０】湾曲した底部を有する広い引裂帯を接続するリム内の矩形の切り欠きおよび引っ張りタブを有する焼成容器の側面図である。
【図７１】リムに切り欠きを有し、接着剤によって引裂帯に取り付けられた底部引っ張りタブを有する焼成容器の側面図である。
【図７２Ａ】靴のタンと同様の引っ張りタブを有する焼成容器の上面図である。
【図７２Ｂ】図７２Ａの斜視図である。
【図７３Ａ】平坦底面の周縁で終端する破断線を有する焼成容器の側面図である。
【図７３Ｂ】図７３Ａの焼成容器の上面図である。
【図７４Ａ】平坦底面の周縁を超えて終端する破断線を有する焼成容器の側面図である。
【図７４Ｂ】平坦底面の周縁内で終端する破断線を示す、図７４Ａの焼成容器の上面図である。
【図７５Ａ】平坦底面の周縁を超えて終端する破断線を有する焼成容器の側面図である。
【図７５Ｂ】周縁の反対側で終端する破断線を示す、図７５Ａの焼成容器の上面図である。
【図７６Ａ】平坦底面の周縁を超えて終端する破断線を有する焼成容器の側面図である。
【図７６Ｂ】側壁の反対側で終端する破断線を示す、図７６Ａの焼成容器の上面図である。
【図７７Ａ】平坦底面の周縁を超えて終端する破断線を有する焼成容器の側面図である。
【図７７Ｂ】リムの反対側で終端する破断線を示す、図７７Ａの焼成容器の上面図である。
【図７８】偏心したリム間の破断線を有する焼成容器の上面図である。
【図７９】偏心した湾曲した破断線を有する焼成容器の上面図である。
【図８０】偏心した湾曲した破断線を有する焼成容器の上面図である。
【図８１】波形破断線を有する焼成容器の上面図である。
【図８２】平坦底面上に直線および湾曲したセグメントを有する破断線を有する焼成容器の上面図である。
【図８３】周縁と一致するセグメントを有する破断線を有する焼成容器の上面図である。
【図８４】交差する破断線を有する焼成容器の上面図である。
【図８５】交差する破断線を有する焼成容器の上面図である。
【図８６】側壁上に複数の破断線を有し、平坦底面上に破断線がない焼成容器の上面図である。
【図８７】側壁上に湾曲した破断線セグメントと、平坦底面上にギザギザの破断線セグメントとを有する焼成容器の上面図である。
【図８８】側壁上に湾曲した破断線セグメントを有する焼成容器の上面図である。
【図８９】側壁上に湾曲した破断線セグメントを有する焼成容器の上面図である。
【図９０】長方形の平坦底面、ならびにリム内の切り欠きで開始および終了し、リム間破断線を有する焼成容器の上面図である。
【図９１】交差する曲線および直線の破断線を有し、五角形の平坦底面を有する焼成容器の上面図である。
【図９２】楕円形の平坦底面および交差しない複数のリム間の破断線を有する焼成容器の上面図である。
【図９３】水平引裂帯につながるリムからの単一の破断線を有する焼成容器の側面図である。
【発明を実施するための形態】
【００６９】
本開示の実施形態は、以下、添付の図面を参照してより詳しく説明し、本開示の、全てではないいくつかの実施形態を示す。
【００７０】
本開示は、以下の定義を参照することにより良く理解されるであろう。本明細書で使用される場合、単語「ａ（一つの）」および「ａｎ（一つの）」等は、「１つ以上」の意味を有する。数値制限または範囲が記載されている本開示の説明内では、別段の記載がない限り、その数も含まれる。本明細書で使用される場合、「含む」および／または「含んでいる」という用語は、記載された特徴、整数、ステップ、動作、要素、および／または構成要素の存在を指定するが、１つ以上の他の特徴、整数、ステップ、動作、要素、構成要素、および／またはそれらのグループの存在または追加を排除するものではないことを、さらに理解されたい。
【００７１】
本明細書で使用される場合、「実質的に」、「約」、「およそ」、または「実質的に類似の」という単語は、記載される値および／または位置が合理的な予想される値および／または位置の範囲内にあることを示すために、大きさおよび／または位置を説明するときに使用されてもよい。例えば、数値は、記載された値（または値の範囲）の＋／−０．１％、記載された値（または値の範囲）の＋／−１％、記載された値（または値の範囲）の＋／−２％、記載された値（または値の範囲）の＋／−５％、記載された値（または値の範囲）の＋／−１０％、記載された値（または値の範囲）の＋／−１５％、または記載された値（または値の範囲）の＋／−２０％である値を有してもよい。数値制限または範囲が記載されている本開示の説明内では、別段の記載がない限り、その数も含まれる。本明細書および特許請求の範囲において本明細書で使用される場合、実施例で使用される場合を含め、別段明示的に指定されない限り、全ての数字は、用語が明示的に現れない場合でも、単語「実質的に」、「約」、または「およそ」によって前置きされているように読み取ることができる。また、数値制限または範囲内のすべての値および部分的な範囲は、明示的に書き出されているかのように、具体的に含む。
【００７２】
本明細書で使用される場合、焼成容器を取り外しやすくすることまたは取り外すこと、食品を取り出しやすくすることまたは取り出すこと、または焼成容器を食品から分離すること（またはその逆）は、同等の作用と見なされる。焼成容器は、全体的または部分的に取り外されてもよく、食品は、焼成容器の一部が無傷、または食品に付着したままで消費されてもよい。本明細書に記載の焼成容器はまた、ベーキングライナー、マフィンライナー、ディスプレイカップ、菓子カップ、クッキングシート、カップケーキ紙、カップケーキ包装紙、パイプレート、パイ皿、ローフライナー、エクレアライナー等と見なされてもよい。さらに、本明細書で使用される用語は、特定の実施形態を記載する目的のためであり、本発明を制限することを意図するものではない。
【００７３】
第１の態様によれば、本開示は、周縁部を有する平坦底面と、周縁部からリムに延びる側壁と、リムから周縁部の第１の点対に延びる２本の破断線とを含む焼成容器に関する。２本の破断線は、２本の破断線に沿って引き裂かれるように構成された帯を形成する。１つのかかる実施形態を図１Ａおよび１Ｂに示す。
【００７４】
一実施形態では、帯は、引き裂かれて、側壁を開き、側壁の中に含まれる食品からの取り外しおよび／または食品の消費を容易にするように構成される。したがって、帯としては、「引裂帯」が考えられる。他の実施形態では、破断線、したがって帯は、底面に沿っておよび／または側壁の反対側の上方に延びうる。これらの実施形態は、側壁を開いて、アイテムの取り出しを容易にすることを可能にするだけでなく、焼成容器を２つの側面に分割することを可能にしてもよい。さらなる実施形態では、これらの２つの側面は、容器の２つの半体に類似していてもよく、これらの２つの側面を開くことは、一対の外側羽根付きドア（例えば、並列冷蔵庫のドア）を開くことに類似していてもよい。
【００７５】
例えば、一実施形態では、２本の破断線は、第１の点対から、平坦底面の周縁内に位置する第２の点対にさらに延びる。１つのかかる実施形態を図２Ａおよび２Ｂに示す。第２の点対が実質的に円形の周縁内に位置する場合、第２の点対は、直径または弦の長さの１０〜９０％、好ましくは２０〜８０％、または３０〜７５％、３０〜４０％、４０〜５０％、５０〜６０％、６０〜７０％、７０〜８０％の位置に位置してもよい。加えて、図２Ｂに示すように、第１の点対と第２の点対を接続する破断線は、実質的に円形の平坦底面の直径または半径に沿って位置してもよい。あるいは、第１および第２の点対を接続する破断線は、中心から外れてもよく、実質的に円形の平坦底面の直径または半径に沿ってではなく、直径の長さの１０〜９０％、好ましくは２０〜８０％、または３０〜７５％、３０〜４０％、４０〜５０％、５０〜６０％、６０〜７０％、７０〜８０％である弦に沿って位置してもよい。実質的に円形の平坦底面および周縁部を有しない焼成容器の場合、第２の点対は、周縁部の２つの点を接続する対角線または他の線に沿って１０〜９０％、好ましくは２０〜８０％、または３０〜７５％、３０〜４０％、４０〜５０％、５０〜６０％、６０〜７０％、７０〜８０％の距離に位置してもよい。この対角線または他の線は、平坦底面の幾何学的重心と交差しても交差しなくてもよい。
【００７６】
さらなる実施形態では、２本の破断線は、第２の点対から第３の点対にさらに延びる。ここで、第３の点対は、第１の点対から周縁の反対側に位置する。１つのかかる実施形態を図３Ａおよび３Ｂに示す。
【００７７】
さらなる実施形態では、２本の破断線は、第３の点対から、第１の点対から側壁の反対側に位置する第４の点対にさらに延びる。１つのかかる実施形態を図４Ａおよび図４Ｂに示す。
【００７８】
焼成容器のさらなる実施形態では、２本の破断線は、破断線が最初に延びるリムの反対側に位置する第５の点対に延びてもよい。１つのかかる実施形態を図５Ａおよび５Ｂに示す。
【００７９】
１本以上の破断線が平坦底面の周縁の２つの位置を接続する実施形態では、１本以上の破断線は、例えば、平坦底面の幾何学的重心を交差させることによって、平坦底面にわたって中心に配置されてもよい。実質的に円形の周縁については、これは、１本以上の破断線が平坦底面の直径に沿っていることを意味してもよい。図３Ｂ、図４Ｂ、図５Ｂ、図１０、図１７Ｂは、１本以上の破断線または引裂帯が平坦底面にわたって中心にある実施形態を示す。他の実施形態では、１本以上の破断線は、平坦底面にわたって中心合せされていなくてもよい。例えば、１本以上の破断線は、平坦底面の中心または幾何学的中心と交差しなくてもよい。１本以上の破断線の長さは、平坦底面にわたる直径の長さの１０〜９０％、好ましくは２０〜８０％、または３０〜７５％、３０〜４０％、４０〜５０％、５０〜６０％、６０〜７０％、７０〜８０％または最も長い長さであってもよい。図１２、４６、７８〜８１、および８７〜９２は、１本以上の破断線が平坦底面にわたって中心になっていない実施形態を示す。平坦底面上の１本以上の破断線は、直線的であってもよいが、他の実施形態では、１本以上の破断線は、湾曲してもよいし、および／または傾斜してもよい。例えば、図７９〜８３、図８７および図９１は、周縁の２つの異なる点に接続された単一の直線以上の平坦底面上の破断線を示す。ここでは、破断線は湾曲、ギザギザ、波形がある。他の実施形態では、平坦底面上の１本以上の破断線は、図２Ｂ、３Ｂ、４Ｂ、５Ｂ、１０、１１、７４Ｂ、７５Ｂ、７６Ｂ、７７Ｂ、および８２〜８５のように、回転的に対称であってもよいし、および／または中心にあってもよい。
【００８０】
加えて、平坦底面は、複数の破断線を有していてもよく、これらは互いに交差していてもしなくてもよい。図９２に示されるような細長い焼成容器について、間隔をあけた、交差しない破断線は、使用者が残りの焼成容器の長さをより容易に制御することを可能にし得ることが想定される。実質的に円形の平坦底面を有する焼成容器はまた、平坦底面を横切る複数の破断線を有してもよく、複数の破断線は互いに交差しない。平坦底面上の交差する破断線の例としては、図１０、１１、８４、８５、および９１が挙げられる。一実施形態では、１本以上の破断線、または１つ以上の帯は、任意の方向から引き裂かれてもよく、部分的に引き裂かれてもよく、または完全に引き裂かれてもよい。ある特定の実施形態では、破断線は、いずれかの端からではなく、破断線内から始まるセグメントから引き裂かれてもよい。
【００８１】
一実施形態では、帯は、実質的に一定の幅を有し、つまり、その長さに沿って、幅が平均幅から平均幅の７％未満、好ましくは平均幅の５％未満だけ変化することを意味する。一実施形態では、焼成容器は、０．５〜２．５ｃｍ、好ましくは０．６〜２．２ｃｍ、より好ましくは０．８〜２．０ｃｍの幅の帯を有してもよい。別の実施形態では、焼成容器は、例えば、２．０〜５．５ｃｍ、好ましくは２．２〜５．０ｃｍ、好ましくは２．５〜４．５ｃｍ、より好ましくは２．６〜４．２ｃｍの範囲の幅を有する広い帯を有してもよい。この幅のある帯は、焼成容器のより大きな部分を開くために、焼成容器の側壁および／または平坦底面上のドアのようにより機能してもよい。繰り返すが、いくつかの実施形態では、帯としては、任意の２本の破断線間の側壁および／または平坦底面の一部であると考えられ、したがって、帯の幅としては、任意の２本の破断線間の距離が考えられる。
【００８２】
一実施形態では、１本以上の破断線は、リムから周縁部への最短経路を辿り、周縁部と実質的に垂直な角度を形成する。本明細書で定義されるように、実質的に垂直な角度は、形成される最小角度が８０°〜１００°、好ましくは８５°〜９５°、または約９０°であることを指す。
【００８３】
一実施形態では、１本以上の破断線は、リムから周縁部への最短経路を辿らず、周縁部と実質的に垂直な角度を形成しない。例えば、破断線は、側壁の一部の周囲に巻き付けられてもよい。一実施形態では、破断線は、図２９および８６に示されるように、円筒形または円錐台形側壁の一部の周囲に巻き付けられてもよい。さらなる実施形態では、破断線は、円筒形または円錐台形側壁の周囲に完全に巻き付けられてもよい。これらの実施形態では、破断線は、周縁と交差して、２０°〜７０°、好ましくは２５°〜６０°、より好ましくは３０°〜５０°の最小角度を形成してもよい。しかしながら、いくつかの実施形態では、破断線は、２０°未満または７０°より大きい最小角度を形成する周縁と交差してもよい。別の実施形態において、破断線は、図６４、６８〜７０、および８７〜９８に示されるように、側壁上の曲線経路を辿ってもよい。同様に、いくつかの実施形態では、１本以上の破断線は、代わりに、周縁と交差する破断線について言及されるような角度を形成するのではなく、リムと実質的に垂直な角度を形成する。
【００８４】
一実施形態では、１本以上の破断線は、切り欠きでリムと交差してもよく、リムのその部分を弱めることによって引き裂かれる破断線の出発点を提供してもよい。別の実施形態では、切り欠きは、破断線の位置を特定するための視覚的または触覚的手がかりを使用者に提供してもよい。切り欠きは、リムから側壁の一部を切断することによって形成され得る。切り欠きは、０．５〜１０ｍｍ、好ましくは０．８〜８ｍｍ、より好ましくは１〜５ｍｍの高さを有してもよく、０．２〜８ｍｍ、好ましくは０．５〜６ｍｍの幅を有してもよい。切り欠きは、Ｖ形状、長方形形状、または何らかの他の形状を有し得る。Ｖ形状を有する切り欠きは、５°〜８０°、好ましくは１０°〜５０°、より好ましくは１５°〜４５°の範囲の角度を有し得る。図６０、６３、６４、７１、および９０はＶ字型切り欠きを示し、図７０は長方形の切り欠きを示す。リム内の２つの切り欠きは、それらの間に引っ張りタブを形成し得る。他の実施形態では、材料の欠如は、必ずしも材料を除去することなく、リムに切り欠き、または切り欠きと同様の長さを有する切り込みを形成し得る。
【００８５】
別の実施形態において、破断線は、実質的に一定の幅を有さないが、周縁部に近い増加した幅を有し得る。この実施形態において、破断線は、対称角度でまたは異なる角度で側壁と交差し得る。一実施形態では、破断線は、帯の異なる形状またはパターンを作成するために、共に近づくおよび／または互いに離れる方向に移動し得る。別の関連する実施形態では、破断線の幅は、周縁に向かって、おそらく平坦底面に沿って増加してもよく、消費者手段が一度に焼成容器の大部分を取り外すことを可能にする。図３９および６１はそれぞれ、１つのかかる実施形態を例示する。
【００８６】
一実施形態では、破断線が（図５Ａおよび１２に示すように）リム間を接続するのではなく、（図１Ａ、２Ａ、３Ａ、および４Ａに示すように）焼成容器内のある位置で終了する場合、破断線は、追加の破断線セグメントによって接続されても、接続されなくてもよい。例えば、図２Ｂおよび５９のように、破断線が実質的に垂直である追加の接続破断線で終端する場合、帯は、きれいな縁部を有する長方形片としてきれいに引き裂かれ得る。この追加の破断線セグメントは、ミシン目によって、または破断線について記載される他の手段によって形成され得る。あるいは、帯を画定する２本の破断線は、図６４および７０に示すように、湾曲した破断線セグメントによって接続され得る。
【００８７】
他の実施形態では、破断線は、追加の垂直な破断線セグメントなしで終端してもよい。そのような一例を図５８に示す。より一般的には、この特定の実施形態では、帯は、破断線終端点で分離されてもよく、または使用される材料に応じて、引き裂きは、焼成容器の側壁および／または平坦底面に沿って継続してもよい。関連する実施形態では、破断線が焼成容器内の位置で終了する場合、それらは斜めに交差してもよく、これにより、帯は、図６２に示される帯などの尖った端で引き裂かれ、取り外される。この角度は、５°〜８０°、好ましくは７°〜７０°、より好ましくは１０°〜６０°、さらにより好ましくは１５°〜６０°の範囲であり得る。別の実施形態では、図６５および６６に示すように、１本以上の破断線は、側壁および／または平坦底面内のヒンジ、支点、または皺で終端し得る。ヒンジでは、ヒンジを折りたたむことで焼成容器を開いてもよいが、ヒンジは引き裂かれることを意図していない。したがって、ヒンジは、破断線を形成するために記載されるように材料を弱めることによって形成されてもよいが、破断線と同じ程度に弱めることはない。１本以上の破断線がヒンジに接続する実施形態では、ヒンジは、郵便受け、銀行の貸金庫、またはオーブンと同様に、焼成容器の一部をドアのように開けるようにしてもよい。いくつかの実施形態では、ヒンジは、蓋を焼成容器に接続するために説明されたものと類似していてもよい。
【００８８】
一実施形態では、破断線がリム間を接続し、図７８〜８１および８７〜９０のように偏心である場合、破断線に沿って焼成容器を完全に分離すると、より小さな部分およびより大きな部分が生じる。一実施形態では、より小さい部分は、元の平坦底面面積の約１／３または約１／４の面積を有する底面を有する。別の実施形態において、より小さい部分は、元の平坦底面積の５〜４５％、好ましくは１５〜４４％、より好ましくは２０〜４０％である底面積を有する。関連する実施形態において、平坦底面上の破断線は、図７９、８０、および９１にあるように、弧または単一の曲線を辿ってもよい。これらの実施形態は、消費者が食品に付着した紙を異なる量で残すことを可能にする。例えば、図８０の焼成容器を使用する消費者は、破断線に沿って完全に分離しながら、および焼成容器のより大きな部分を保持しながら、焼成容器のより小さい部分を食品から取り外してもよい。焼成容器のこの大きな部分は、食品と接触したままであり、図８０では、より大きな部分は、食品の１口以上の形状に、より適応する。このようにして、焼成容器のより大きな部分は、焼成容器のより小さい部分よりも多くの側壁を有し、焼成容器のより小さい部分よりも少ない平坦底面を有する。より多くの側壁は、一般的に、焼成容器を保持するための表面をより多く提供し、より少ない平坦底面は、消費するためにアクセス可能な食品をより多く提供する。
【００８９】
例えば、焼成容器が２つの部分に分離され、一部が食品と接触したままになるように構成された一実施形態では、食品と接触した部分は、焼成容器の総側壁面積の５５〜８０％、好ましくは６０〜７５％、より好ましくは６５〜７０％である残りの側壁面積を有してもよい。別の実施形態では、食品と接触したままになる部分は、焼成容器の全平坦底面積の１０〜４０％、好ましくは２０〜３８％、より好ましくは２５〜３５％、または約２５％もしくは約３３％である残りの平坦底面積を有してもよい。
【００９０】
一実施形態では、帯は、側壁および／または平坦底面を形成する他の場所よりも厚い材料から形成される。帯の材料は、１．０５〜１０．０、好ましくは１．１〜５．０、より好ましくは１．２〜３．０倍よりも大きい平均厚さを有してもよい。
【００９１】
しかしながら、他の実施形態では、帯は、側壁および／または平坦底面を形成する他の場所よりも薄い材料から形成される。例えば、帯は薄くてもよいが、側壁および／または平坦底面を形成する他の場所の材料よりも強い。
【００９２】
帯の材料は、側壁の残りおよび／または平坦底面を形成する材料と同じ組成物を含んでもよい。例えば、帯は、ミシン目とされた破断線によって単純に形成されてもよい。あるいは、この実施形態では、帯は、側壁、平坦底面、および／またはリムの一部の上に折り返すことによって形成されてもよい。
【００９３】
別の実施形態では、帯の材料は、側壁および／または平坦底面上の他の場所の材料と類似していてもよいが、追加の化合物を含んでもよい。例えば、一実施形態では、側壁および／または平坦底面は、帯を形成する重複した継ぎ目を有してもよく、帯は、継ぎ目を一つに結合するための接着剤をさらに備える。好ましくは、接着剤は食品グレードであり、耐熱性である。同様に、帯は、側壁および／またはリムを折り、接着剤でひだを固定することによって形成されてもよい。別の実施形態では、帯は、帯の強度を増加させるために、合成ポリマー、植物繊維、または他の材料で含浸されてもよい。
【００９４】
一実施形態では、焼成容器は、帯の一部に沿って、またはそれ以外の場合、破断線の近くに取り付けられた糸、ステッカー、ひだ、またはリボンをさらに備える。糸、ステッカー、ひだ、またはリボンは、帯内に位置してもよく、または含まれてもよい（例えば、２つの重複する側壁の間に挟まれてもよい）。糸、ステッカー、ひだ、またはリボンは、０．５〜６ｍｍ、好ましくは０．６〜５ｍｍ、より好ましくは０．８〜３ｍｍの幅または直径を有し得る。しかしながら、他の実施形態では、糸、ステッカー、ひだ、またはリボンは、０．５ｍｍ未満または６ｍｍ超の幅または直径を有し得る。糸、ステッカー、ひだ、またはリボンは、２〜４０ｃｍ、好ましくは３〜３０ｃｍ、より好ましくは４〜１０ｃｍの全長を有し得るが、いくつかの実施形態では、全長は、２ｃｍ未満または４０ｃｍ超であり得る。一実施形態では、単一の糸は、それ自体の上で折り返されるか、または折重ね得る。糸は、「補強糸」と考えられ得、リボンは、「補強リボン」と考えられ得る。一実施形態では、リボンまたはステッカーは、非多孔質材料であってもよいが、他の実施形態では、織物材料またはメッシュを含むリボンなどの多孔質であってもよい。関連する実施形態では、２つ以上の糸が互いに隣接して接着されて、リボンと同様の材料を形成してもよい。
【００９５】
焼成容器が、糸、ステッカー、ひだ、またはリボンをさらに備える実施形態では、好ましくは、糸、ステッカー、ひだ、またはリボンは、耐熱性食品グレード材料を含む。一実施形態では、糸、ステッカー、ひだ、またはリボンは、植物繊維、ポリプロピレン、結晶化ポリエチレンテレフタレート（ＣＰＥＴ）、ポリテトラフルオロエチレン（ＰＴＦＥ）、フッ素化エチレンプロピレン（ＦＥＰ）、ペルフルオロアルコキシアルカン（ＰＦＡ）、羊皮紙、シリコーン、金属、セラミック、ポリ乳酸、タンパク質系プラスチック、酢酸セルロース、およびシリコーンゴムからなる群から選択される少なくとも１つの材料を含む。
【００９６】
一実施形態では、糸、ステッカー、ひだ、またはリボンは、合成繊維と見なされる材料を含んでもよい。別の実施形態において、糸、ステッカー、ひだ、またはリボンは、天然繊維と見なされる材料を含んでもよい。別の実施形態では、糸、ステッカー、ひだ、またはリボンは、繊維を生産するように化学的に処理された天然繊維または天然源に由来してもよい。
【００９７】
一実施形態では、糸、ステッカー、ひだ、またはリボンが植物繊維を含む場合、植物繊維は、軟木材、硬質木材、小麦わら、米わら、亜麻、エスパルト草、リード、麻、インド麻、ジュート、トッサジュート、白ジュート、ケナフ、ラミー、ローゼル、サン、ボンテンカ、アバカ、カンタラ、エネケン、リュウゼツラン、モーリシャス麻、マオラン、シサル、アコンの綿毛、バガス、竹、ボンバクス綿、コイア、綿、トックリキワタ、カポック、トウワタの綿毛、または他の植物繊維に由来してもよい。
【００９８】
別の実施形態において、糸、ステッカー、ひだ、またはリボンは、焼成容器の外側に取り付けられてもよい。別の実施形態では、糸、ステッカー、ひだ、またはリボンは、焼成容器の内側に取り付けられてもよい。さらなる実施形態では、糸、ステッカー、ひだ、またはリボンが焼成容器の内部に取り付けられ得る場合、糸、ステッカー、ひだ、またはリボンは、糸、ステッカー、ひだ、またはリボンの一端で内部に取り付けられ得る一方で、糸、ステッカー、ひだ、またはリボンの長さは、焼成容器内にある。この実施形態では、焼成容器がアイテムで充填されると、糸、ステッカー、ひだ、またはリボンの長さが所定の位置に保持されるため、片端での取り付けのみが必要とされ得る。いくつかの実施形態では、糸、ステッカー、ひだ、またはリボンは、焼成容器から突出して視認可能であってもよいが、他の実施形態では、糸、ステッカー、ひだ、またはリボンは、例えば、糸、ステッカー、ひだ、またはリボンの全長が側壁内に埋め込まれているか、コーティングで覆われている場合、完全に隠されてもよい。
【００９９】
本明細書で定義されるように、破断線は、側壁および／または平坦底面上の引裂帯の好ましい経路であり、側壁および／または平坦底面上の経路を、側壁および平坦底面の他の場所の材料と比較して弱めることによって作成することができる。
【０１００】
一実施形態では、焼成容器は、破断線に沿って引き裂けるまで、側壁および／または平坦底面に対して最大の力に抵抗することができる。例えば、この力が０．５Ｎである場合、破断線に沿って引き裂けることなく、０．１または０．４Ｎの力で側壁上の帯を引っ張ることができる。しかしながら、０．５Ｎ以上の力で引っ張ると、破断線に沿って引き裂かれる。一実施形態では、この最大力は、０．０５〜１．０Ｎ、好ましくは０．０８〜０．９Ｎ、より好ましくは０．１５〜０．８Ｎ、さらにより好ましくは０．３〜０．７Ｎであってもよい。他の実施形態では、最大力は、０．０５Ｎ未満または１．０Ｎを超えてもよく、引っ張る角度にも依存してもよい。
【０１０１】
一実施形態では、破断線は、側壁および／または平坦底面の材料を弱めることによって、例えば、シェービング、折り畳み、針でのミシン目、ダイまたはパンチ、研磨材料で擦る、照射、スコアリング、またはエッチングによって形成されてもよい。点線はミシン目に類似して見える場合があるが、図面に示される破断線２０は、ミシン目によって形成されても、形成されなくてもよく、ミシン目であってもなくてもよいことに留意されたい。別の実施形態では、破断線は、隣接する側壁および／または隣接する平坦底面を強化することによって、例えば、材料の厚さを増大させることによって（前述のように）、または、糸もしくはリボンを焼成容器に追加することによって形成されてもよい。別の実施形態では、破断線は、側壁および／または平坦底面の材料を弱め、隣接する側壁および／または隣接する平坦底面を強化することの両方によって形成されてもよい。一実施形態では、破断線を形成しない側壁および／または平坦底面は、破断線で抵抗される最大力の０．２〜１０倍、好ましくは０．８〜８倍、より好ましくは１．５〜７倍の最大力に抵抗することができる。しかしながら、他の実施形態では、この最大力は、１０倍を超えてもよい。一実施形態では、両方の力の間により大きな差を有することは、破断線の外側で誤って引き裂かれるまたは破断する焼成容器の発生を低減する。
【０１０２】
一実施形態では、破断線は、ミシン目によって形成される。好ましくは、これらのミシン目は、焼成容器がミシン目を通して液体成分を漏出しないように、ある大きさおよび幾何学形状で形成される。例えば、一実施形態では、ミシン目穴を作製するために、針は側壁を貫通して穿刺してもよいが、側壁の弾性のために、穴は閉じ、それ自体を密封してもよい。別の関連する実施形態では、ミシン目穴は、空気の通過を可能にするのに十分な大きさよいが、ケーキバターなどの粘性液体を保持するのに十分な小ささであってもよい。
【０１０３】
一実施形態では、ミシン目は、ドット、ピンホール、または実質的に円形の穴である。ここで、ドット、ピンホール、または穴は、０．０５〜１．００ｍｍ、好ましくは０．１０〜０．８５ｍｍ、より好ましくは０．３０〜０．８０ｍｍの内径を有し得る。しかしながら、いくつかの実施形態では、ドット、ピンホール、または穴は、０．０５ｍｍ未満または１．００ｍｍ超の内径を有し得る。一実施形態では、ミシン目としては、マイクロミシン目が考えられる。
【０１０４】
一実施形態では、ミシン目は、０．０５〜１．００ｍｍ、好ましくは０．１０〜０．８５ｍｍ、より好ましくは０．３０〜０．８０ｍｍの幅、および１．５：１〜５：１、好ましくは１．７：１〜４：１、より好ましくは１．８：１〜３：１のアスペクト比（長さ：幅）を有する細長いスリットを含み得るが、いくつかの実施形態において、スリットは、１．５：１未満または５：１超のアスペクト比を有し得る。前述のように、いくつかの実施形態では、スリットは、側壁および／または平坦底面を通る連続開口部ではなくてもよく、代わりに、材料の弾性によって密封または閉鎖されてもよい。
【０１０５】
一実施形態では、ミシン目は、破断線に沿って細長い軸を有する細長いスリットを含む。異なる実施形態において、ミシン目は、破断線に対してある角度を有する長手の軸を有する細長いスリットからなり、例えば、スリットは、破断線の経路に対して２０°〜６０°、好ましくは３０°〜５５°の角度を形成していてもよく、破断線の経路は、各細長いスリットの中心を接続することによって画定される。他の実施形態では、ミシン目または他の構造は、異なる形状またはパターンの破断線を形成してもよい。例えば、破断線は、鋸歯波、正弦波、長方形波、台形波、または他の変形形態に類似する形状で形成され得る。一実施形態では、２つ以上の破断線の形態は、互いに対称であってもよく、または非対称であってもよい。
【０１０６】
一実施形態では、側壁および／または平坦底面上のミシン目は、０．５〜１．５ｍｍ、好ましくは０．７〜１．２ｍｍ、より好ましくは０．８〜１．０ｍｍ間隔であり得、いくつかの実施形態では、ミシン目は、０．５ｍｍ未満または１．５ｍｍ超の間隔であり得る。
【０１０７】
一実施形態では、破断線は、形状が、焼成容器の内部に側壁および／または平坦底面を横切る開口部または孔ではなく、側壁および／または平坦底面上の単なる凹みまたは切れ目であることを除いて、ミシン目に関して言及されたものと同様の形状によって形成されてもよい。いくつかの実施形態では、ミシン目、切れ目、ひだ、ステッカー、リボン、または糸は、焼成容器の縁に沿って連続していなくてもよい。例えば、図４１に示すように、帯は側壁の途中で開始してもよく、または平坦底面上で開始してもよい。別の実施形態では、ミシン目、切れ目、折り目、ステッカー、リボン、または糸が縁部に沿って続かない場合、容器は、一端で引き裂かれるように構成されなくてもよく、または、焼成容器のより大きな部分を取り外し得る、比較的制御されない裂け目を有するように構成されてもよい。使用される材料の機械的特性に応じて、短距離の制御された引き裂きに対して破断線を提供することで十分であり、それにより、焼成容器の反対側まで続く、制御されない引き裂きが生じる。
【０１０８】
別の実施形態では、ミシン目は、形状の混合であり得、例えば、ミシン目は、例えば、交互にドットおよびダッシュのパターンにおいて、ピンホールおよび細長いスリットで形成されてもよい。同様に、破断線は、引き裂くために様々な力を必要とするために、様々なミシン目または弱化領域を含んでもよい。例えば、破断線または帯は、側壁または平坦底面上の特定の点まで容易に裂け、次いで、わずかに大きな力を必要とするだけで継続して裂ける場合がある。この特徴は、例えば、側壁の途中まで破断線または帯を引き裂くための触感を提供し得る。
【０１０９】
一実施形態では、焼成容器は、単一の破断線を有してもよい。ここで、焼成容器は、周縁を有する平坦底面と、周縁からリムに延びる側壁と、リムから周縁の第１の点に延び、周縁の第１の点から第２の点に延びる破断線とを備えていてもよい。好ましくは、この実施形態では、図４４および４５に示される実施形態と同様に、糸、ステッカー、ひだ、またはリボンが破断線に沿って位置する。あるいは、図６３、６８、６９、および９０に示すように、リム内に切り欠き、切り込み、凹み、ひだ、または材料の欠如が存在して、単一の破断線を位置させることができる。関連する実施形態では、単一の破断線を有するベーキングライナーは、本明細書に記載される他の実施形態において帯について言及されるような任意の種類の経路に続く破断線を有し得る。これには、側壁、平坦底面、および／または焼成容器上の異なる点を接続するためのその経路または位置が含まれる。
【０１１０】
例えば、焼成容器は、リムから周縁の第１の点まで延び、周縁の第１の点から周縁内に位置する平坦底面の第２の点まで延びる単一の破断線を有してもよい。帯と同様に、破断線も、引き裂かれて、側壁を開き、側壁の中に含まれる焼成食品からの取り外しおよび／または焼成食品の消費を容易にするように構成される。一実施形態では、破断線は、第１の点から周縁の反対側に位置する第３の点にさらに延びる。別の実施形態では、破断線は、第１の点から側壁の反対側に位置する第３の点から第４の点までさらに延びる。別の実施形態では、破断線は、リム上に位置する第３の点から第５の点までさらに延びる。
【０１１１】
一実施形態では、焼成容器は、周縁と、周縁からリムまで延びる側壁と、リムから側壁上の第１の点対まで延びる第１の破断線と、両方とも側壁の円周に沿って第１の点対から延びる第２の破断線と、第３の破断線とを有する、平坦底面を有する。第２および第３の破断線は、２本の破断線に沿って引き裂かれるように構成された帯を形成し、帯は、食品と焼成容器の底部を接触させたままにしながら、引き裂かれて、側壁を開き、その中含まれる食品からの取り外しおよび／または食品の消費を容易にするように構成される。
【０１１２】
一実施形態では、焼成容器は、帯を形成する二重破断線と、帯を形成しない単一の破断線との両者の組み合わせを有してもよい。好ましくは、本実施形態の二重および単一の破断線は、図８Ａのように互いに接続されるが、他の実施形態では、それらは接続されない場合がある。単一の破断線、帯を形成する二重破断線、または両者の組み合わせを有する焼成容器を言及する本明細書に記載の任意の実施形態では、単一の破断線を、帯を形成する二重破断線と交換し、二重破断線または引裂帯を単一の破断線と交換する実施形態を採用し得ることも同様に想定される。例えば、限定するものではないが、図面によって示されるように、図７３Ａ〜Ｂ、７４Ａ〜Ｂ、７５Ａ〜Ｂ、７６Ａ〜Ｂ、７７Ａ〜Ｂは、図１Ａ〜Ｂ、２Ａ〜Ｂ、３Ａ〜Ｂ、４Ａ〜Ｂ、および５Ａ〜Ｂの引裂帯に類似する位置に単一の破断線を有する。図１２は、図７８の単一の破断線に類似する経路に続く引裂帯を有する。
【０１１３】
一実施形態では、焼成容器は、２つ以上の帯、ひだ、ステッカー、リボン、もしくは糸、または２つ以上の破断線を含んでもよい。図１０および１１は、関連する実施形態の例を示す。一実施形態では、帯、ひだ、ステッカー、リボン、または糸を焼成容器から引き離すのではなく、帯、ひだ、ステッカー、リボン、または糸は、焼成容器の内部を通して、したがって内部の食品を通して引き出されてもよい。この実施形態では、帯、ひだ、ステッカー、リボン、または糸は、チーズケーキなどの柔らかい食品を切断するように設計され、この構成の複数の帯、ひだ、ステッカー、リボン、または糸は、例えば、ケーキを６つの類似したピースに分割することによって食品の一人分を作成するために使用されてもよい。一実施形態では、リボン、ひだ、ステッカー、または糸は、それを切断するために食品の内部を通して引き出されてもよく、一方、リボン、ひだ、ステッカー、または糸の元の位置に沿った帯は、容器を分離するために、焼成容器から引き出されてもよい。他の実施形態では、補強リボン、ひだ、ステッカー、または糸の有無にかかわらず、帯は、食品を通して引き抜かれて、食品を同時に切断し、容器を分離してもよい。
【０１１４】
一実施形態では、側壁および平坦底面は、同じ材料から形成される。さらなる実施形態において、側壁および平坦底面は、焼成容器内に成形された平面材料片から形成されてもよい。この形成は、側壁の折り畳み、プリーツ付け、または溝付けを伴ってもよい。別の実施形態において、側壁は、リムまたは平坦底面を形成するために、重ねて切断および接着されてもよい。他の実施形態では、焼成容器は、折り返された、接着された、ホチキス止めした、またはそれ以外の場合一緒に取り付けられた２つ以上の材料から形成されてもよい。例えば、いくつかの焼成容器は、ＤＩＸＩＥカップまたは他の紙カップと同様の様式で側壁を平坦底面に取り付けることによって構築されてもよい。焼成容器が平坦底面に側壁を取り付けることによって形成される関連実施形態では、平坦底部は、例えば、Ｕまたは反転Ｕの形状を形成する上向きまたは下向きに折り返された縁部を有してもよい。図２４〜２８は、側壁および平坦底面がどのように一緒に取り付けられ得るかの異なる構成を示す。
【０１１５】
一実施形態では、帯は、靴のタンと同様の配置である図７２Ａおよび７２Ｂに示されるように、焼成容器の中に形成されてもよく、または焼成容器の中に配置されてもよい。ここで、帯は、焼成容器内の周縁の近くの内側側壁に取り付けられる。帯は、ほとんどが、帯の側面および底面縁部に沿って以外は、側壁内の切断を通して視認可能である。靴のタンと同様に、帯の側面が側壁に取り付けられていないことが想定される。代わりに、特に食品が焼成容器内にある場合、帯の側面は、内側側壁との摩擦結合によって所定の位置に保持されてもよい。次いで、帯の上部を上部から外に引き出して、側面から焼成容器を開き、側壁の大きな部分を簡単に開くことができる。同様に、この実施形態は、側壁を内側に折り返すことによって帯の側面を取り付けるように適合させてもよく、接着剤で側壁に接着させてもよいことが想定される。実施形態は、単一の材料から形成されている焼成容器に適合されてよく、帯は、その縁部に沿った破断線を有しても有しなくてもよい。
【０１１６】
一実施形態では、焼成容器は、凹型底部を有し、言い換えれば、リムから離れた方向に周縁から突出する底面縁部を有する。この実施形態において、底面縁部は、平坦底面と平坦な面との間の空間を有する平坦な面上に焼成容器を座らせることを可能にし得る。一実施形態では、底面縁部は、平坦底面に実質的に平行な平面を囲んでもよいが、いくつかの実施形態では、底縁は、平坦底面に実質的に平行ではない平面を囲んでもよい。一代替の実施形態では、突起、足、または他の支持体は、周縁からまたは平坦底面から延びてもよい。凹型底部の利点としては、焼成によって油分を含む可能性のある平面状の底面の底面が表面に触れないようにすることができることが挙げられる。凹型底部の別の利点は、平坦底面に対して平らに延びていない場合があるため、焼成容器の底部の下に折り返された引っ張りタブが容易にアクセス可能であることであってもよい。その一例を図１７Ａに示す。別の変形例では、凹型底部を有する焼成容器は、図１７Ｂに示すように底部が折り返された引っ張りタブを有していなくてもよいが、代わりに、引き裂くためのつまみ点を形成する側壁の底面縁部の一部を有していてもよい。または、言い換えると、引っ張りタブは、側壁の底面縁部の一部を形成してもよい。
【０１１７】
一実施形態では、凹型底部は、側壁の底面縁部の上方１〜７ｍｍ、好ましくは２〜６ｍｍ、より好ましくは３〜５ｍｍの高さを有し得、いくつかの実施形態では、高さは、１ｍｍ未満または７ｍｍ超であり得る。凹型底部を有する焼成容器は、焼成容器に支持を提供しながら、側壁の底部縁部に破損を有し得るため、側壁の連続底部縁部を必要としない。
【０１１８】
一実施形態では、焼成容器は、引っ張りタブとして成形されるか、または引っ張りタブをさらに備える帯を有する。引っ張りタブは、１〜３ｃｍ、好ましくは１．２〜２．８ｃｍ、より好ましくは１．５〜２．５ｃｍの最長寸法または長さを有し得るが、いくつかの実施形態では、引っ張りタブは、１ｃｍ未満または３ｃｍ超の長さを有し得る。いくつかの実施形態では、引っ張りタブは、帯の幅よりも小さい、実質的に類似している、または大きい長さを有し得る。
【０１１９】
例えば、引っ張りタブは、０．５〜２．５ｃｍ、好ましくは０．６〜２．２ｃｍ、より好ましくは０．８〜２．０ｃｍの幅を有し得るが、いくつかの実施形態では、引っ張りタブは、０．５ｃｍ未満または２．５ｃｍより大きい幅を有し得る。引っ張りタブは、帯の幅よりも小さい、実質的に類似している、または大きい幅を有し得る。いくつかの実施形態では、引っ張りタブは実質的に平らであってもよく（側壁に類似する厚さを有する）、他の実施形態では、引っ張りタブは、側壁よりも大きな厚さを有する形状に折り返されてもよく、または立体形状を有してもよい。
【０１２０】
一実施形態では、引っ張りタブは、リムを超えて延びる帯によって形成されるが、他の実施形態では、引っ張りタブは、ステッカーなどの追加の材料を帯または側壁に接着または取り付けることによって形成されてもよい。例えば、ステッカーは、１つのセグメントのみに接着剤を有してもよく、非接着領域が表面から突出するか、または人の指によって容易に持ち上げることを可能にする。図７１は突出領域および接着領域を有する引っ張りタブの例を示す。加えて、図７０の正方形切り欠きおよび図７１のＶ字形切り欠きによって示されるように、引っ張りタブは、リム内の２つ以上の切り欠きによって形成されてもよい。リム内の切り欠きによって形成される引っ張りタブは、さらに、ひだまたはステッカーを有してもよく、例えば、図６８は、切り欠きおよびひだの両方を有する。
【０１２１】
焼くことによって生じる場合がある油っぽさのため、引っ張りタブは、使用者が引っ張りタブを滑らずに容易に把持するために、追加のテクスチャを有してもよい。図６７に示すように、引っ張りタブは、把持のための、より大きい表面積を提供するために追加の突起を有してもよい。図６６および６９のような追加のテクスチャを有する薄い引っ張りタブは、より多くのベーキングライナー材料を使用することなく、引っ張りタブを容易に把握することを可能にする。そのようなテクスチャリングは、凹みもしくは切れ目（破断線について言及されるものなど）によって、または耐熱材料でコーティングすることによって達成され得ることが想定される。引っ張りタブは、前に述べたように、焼成容器側壁のために強化または補強されてもよい。
【０１２２】
代替の実施形態では、焼成容器は、特定の破断線を有さなくてもよいが、１つ以上のステッカーが取り付けられてもよい。いくつかの実施形態では、接着された引っ張りタブとしては、ステッカーと同等と考えられるが、いくつかの実施形態では、ステッカーとして、引っ張りタブのより装飾的な形態が考えられる。１つ以上のステッカーは、側壁を焼成食品から引き離すように、引き裂きの有無にかかわらず構成されてもよい。一実施形態では、１つ以上のステッカーは、バケツの持ち手、または土星のリングと同様に、半円形およびアーチ状であってもよい。この代替の実施形態では、ステッカーは、それらが焼成容器を引き裂く、または焼成食品から分離することができるように、それらを焼成容器の外側の任意の場所に置くことを可能にする接着強度を有してもよい。
【０１２３】
一実施形態では、焼成容器は、平らな表面上または反対側の手のひら上に置かれるときに、片手で食品から分離されるように構成されてもよい。この実施形態では、１本以上の破断線は、側壁および／または平坦底面が容易に引き裂かれることを可能にしてもよい。食品を有する焼成容器は、帯、引っ張りタブ、ステッカー、ひだ、または糸から持ち上げられてもよく、食品の重量は、帯が完全にまたは部分的に引き裂かれ得ることがさらに想定される。あるいは、食品の重量が側壁を引き裂くのに十分でない場合、人物は、帯、ひだ、ステッカー、引っ張りタブ、または糸をつかみながら、焼成容器を振るか、または素早く動かすことがある。図２９および３０のような、焼成容器上の帯および破断線の特定の位置に関して、この振るかまたは素早く動かすことにより、焼成容器が回転するまたはスピンする場合がある。
【０１２４】
同様の実施形態では、焼成容器は、容易に引き裂かれる帯の一端を有していてもよく、他端は、焼成容器に取り付けられたままになるように構成される。この実施形態において、帯、引っ張りタブ、または糸を掴みながら焼成容器を持ち上げる、振る、または素早く動かすことにより、側壁を引き裂き、焼成容器の残りを１片で取り除くことができる。
【０１２５】
一実施形態では、焼成容器は、２つ以上の帯、２つ以上の引っ張りタブ、および／または１つ以上のひだを有してもよい。例えば、焼成容器は、図３３にあるような一対の耳部を形成するように形作られた２つ以上の引っ張りタブを有してもよく、または図３４にあるような足を有してもよい。別の実施形態では、焼成容器は、互いに向かい合って位置する少なくとも２つの引っ張りタブを有してもよい。引っ張りタブは、低い熱容量を有し得るため、焼くために焼成容器を使用した後、それらはより迅速に冷却し得る。人は、２つの引っ張りタブを使用して、焼き型から焼成容器を持ち上げることができる（例えば、焼成容器が熱く、焼きたてのカップケーキを保持するカップケーキパンから焼成容器を持ち上げること）。
【０１２６】
一実施形態では、焼成容器上の帯または破断線は、異なる着色またはテクスチャリングによって位置してもよく、または破断線は、容易に視認できるミシン目または切れ目によって形成されてもよい。他の実施形態では、引っ張りタブは、焼成容器の縁部を越えて延びてもよく、容易に視認できるものであってもよく、さらに、コンテナの残りの部分とは異なる着色されてもよい。いくつかの実施形態では、引っ張りタブは、図３５〜３８および４１のように、側壁の一部から大きく、装飾的で、および／または突出することによって顕著であってもよい。いくつかの実施形態では、引っ張りタブは、図６Ａ、６Ｂ、１２、２９、３８、４０〜４２、４６、５８、および５９に示されるように、帯の幅に実質的に類似する幅を有してもよい。いくつかの実施形態では、引っ張りタブは、図６０〜６２、６４、７０、および７１のように、帯の幅よりも小さい幅を有してもよい。他の実施形態では、図４３〜４５に示すように、引っ張りタブの代わりにリングおよび／または糸を使用してもよい。
【０１２７】
一実施形態では、焼成容器は、焼成容器から帯を引き出すためのつまみ点を形成する帯の縁部または角を有してもよい。一実施形態では、このつまみ点は、単純に（追加の着色またはラベルの有無にかかわらず）周縁の指定された部分であってもよく、糸、リボン、または追加の材料による追加の補強を有しても、有さなくてもよい。いくつかの実施形態では、つまみ点は、図１３および１４に示すように、突出して容易に視認可能に形成または折り返されてもよい。図１３の実施形態では、帯は、周縁から、平坦底面を横切って、側壁からリムまで引き裂かれてもよい。しかしながら、帯はまた、反対方向および／または複数の方向から引き裂かれてもよい。関連するつまみ点の変動は、図１５に示すように、または図に示されていないように、引裂帯を伴う、または引裂帯を伴わない円周方向の水平ひだを有する。
【０１２８】
一実施形態では、焼成容器は、図１６Ａ〜２２に描かれるように、平坦底面の底側に位置する引っ張りタブまたはひだを有する。この配置の引っ張りタブまたはひだは、帯またはリボンと接続してもよく、または１本以上の破断線と整列してもよい。焼成容器は、図１８に示すように、その底部に任意の数または配置のひだまたはタブを有してもよく、そのいくつかは機能的な引っ張りタブであってもよいが、場合によっては、全てが機能的な引っ張りタブであってもよい。一実施形態では、これらの底部ひだおよびタブは、任意の形状または配置で形成されてもよい。いくつかの好ましい実施形態では、底部ひだおよびタブは、装飾的なパターンで配置されてもよい。別の実施形態では、引っ張りタブは、凹型底部に隣接して側壁と一体化して形成されてもよい。
【０１２９】
いくつかの実施形態では、焼成容器は、側壁を開けるか、引き裂くか、または剥がすことができる継ぎ目を有してもよい。特定の実施形態では、側壁は、紙カップ（例えばＤＩＸＩＥカップ）の構造と同様に、反対側の端部を接着または接続するために巻き付けられた平らな材料から形成されてもよい。これらの実施形態では、側壁の継ぎ目は、継ぎ目の上隅、下隅、および／または中間部分から開かれてもよい。継ぎ目には、簡単に剥離を開始できるように接着されていない部分があってもよい。焼成容器は、１つ以上の指定された破断線または指定された引き裂き経路に沿って継ぎ目から開くことができる。しかしながら、継ぎ目は、図５４および５５に示されるように、１本以上の破断線、ならびに帯で容易に構成されてもよい。一部の場合において、継ぎ目は、継ぎ目が重複し、したがって側壁を補強していることを考慮すると、他の箇所に記載されるように、引き裂くための補強されたリボンとして使用されてもよい。図５５は、容器の底部を残しながら、スープ缶のラベルを取り除くのと同様の方法で開封され得る焼成容器を提供する。
【０１３０】
一実施形態では、継ぎ目は接着剤によって保持されてもよいが、他の実施形態では、継ぎ目は、留め具、ラッチ、タブ、ねじれ、または他のコネクタ等の構造によって一緒に保持されてもよい。コネクタは、オスおよびメスコネクタ（図５６）などの非対称であってもよく、陰陽型留め具（図５７）などの対称であってもよい。これらの構造は、側壁と同じ材料から形成されてもよい（例えば、単一の紙から切断されてもよい）、または側壁に接着されてもよい。さらなる実施形態では、これらの構造から側壁を開くことはまた、焼成容器の分離された底部部分を残し得る。
【０１３１】
一実施形態では、平坦底面に垂直な側壁の高さは、周縁に沿って変化する。この実施形態では、リムは、平面形状（例えば、円錐形断面）を囲んでもよいが、平面形状は、平坦底面と平行ではない場合がある。しかしながら、別の実施形態では、平坦底面に垂直な側壁の高さは、周縁に沿って変化し、リムは平面形状を囲まない。この実施形態では、リムは、ロール状またはビーズ状であってもよく、および／または波、傾斜、点、または花の形状を形成してもよい。一実施形態では、リムは、側壁とは異なる材料を備えるか、または側壁に別個に取り付けられてもよい。別の実施形態において、リムは、側壁と同じ材料を含む。
【０１３２】
一実施形態では、側壁の平均高さは、１〜３０ｃｍ、好ましくは１．５〜２０ｃｍ、より好ましくは２〜１０ｃｍ、さらにより好ましくは３〜８ｃｍであってもよい。しかしながら、他の実施形態では、側壁の平均高さは、１ｃｍ未満または３０ｃｍ超であってもよい。
【０１３３】
一実施形態では、リムは、ロール状、ビーズ状、フランジ状、またはひだ付きでもよい。さらなる実施形態では、長方形の焼成容器の１つ以上の側面は、２つ以上の焼成容器が互いに崩壊することなく積み重ねることを可能にするために、部分的または完全に焼成容器の開口部の上に折り返されてもよい。
【０１３４】
一実施形態では、平坦底面は、例えば、一般的なカップケーキまたはマフィンライナーとして実質的に円形である。別の実施形態において、平坦底面は、例えば、楕円形または長円形として、長方形および丸みを帯びていてもよい。別の実施形態において、平坦底面は、長方形であっても、実質的に正方形であってもよい。代替の実施形態では、平坦底面は、直線および／または湾曲した縁部、例えば、半円を有する異なる形状を形成してもよい。
【０１３５】
実質的に円形の平坦底面は、２〜２５ｃｍ、好ましくは２．５〜２０ｃｍ、より好ましくは３〜１５ｃｍ、さらにより好ましくは３．５〜１０ｃｍの直径を有し得る。しかしながら、他の実施形態では、平坦底面は、２ｃｍ未満または２５ｃｍ超の直径を有し得る。
【０１３６】
一実施形態では、リムおよび平坦底面が実質的に円形である場合、リム直径対周縁直径の比は、１：１〜２：１、好ましくは１．０５：１〜１．８０：１、より好ましくは１．０８：１〜１．２０：１であってもよく、１：１の比は、側壁が右シリンダを形成することを示してもよい。
【０１３７】
一実施形態では、実質的に円形の平坦底面を有する焼成容器は、一般的なパイ皿、深層パイ皿、または９インチの丸形の焼き型に類似する形状およびサイズを有してもよい。他の実施形態では、実質的に円形の平坦底面を有する焼成容器は、一般的なマフィンもしくはカップケーキライナー、または「ミニ」マフィンもしくは「ミニ」カップケーキライナーに類似する形状およびサイズを有してもよい。一実施形態では、焼成容器は、エンゼルケーキパンまたはブンドケーキパンと同様の、チューブパンとしての形状を有してもよい。
【０１３８】
実質的に長方形の平坦底面は、４〜３０ｃｍ、好ましくは６〜２５ｃｍ、より好ましくは８〜２０ｃｍの幅を有し得る。実質的に長方形の平坦底面は、１：１〜１０：１、好ましくは１：１〜４：１、より好ましくは１：１〜３：１のアスペクト比（長さ：幅）を有し得るが、いくつかの実施形態では、アスペクト比は、１０：１を超えてもよい。
【０１３９】
一実施形態では、リムおよび平坦底面が実質的に長方形である場合、リムの対角線対平坦底面の対角線の比は、１：１〜２：１、好ましくは１．０５：１〜１．８０：１、より好ましくは１．１：１〜１．７：１であり得る。一実施形態では、実質的に長方形の平坦底面を有する焼成容器は、８インチの正方形の焼き型、９×１３インチの焼き型、またはキャセロール皿に類似する形状およびサイズを有してもよい。
【０１４０】
代替の実施形態では、焼成容器は、ケーキポップ、餃子、たこ焼き、ポップコーンボール、またはクエバフルなどの丸みを帯びたアイテムに使用されてもよく、丸みを帯びた底面（すなわち、非平面）を有してもよい。
【０１４１】
一実施形態では、側壁および平坦底面によって形成される角度は、９０°〜１３５°、好ましくは９２°〜１０５°、より好ましくは９３°〜１００°であるが、いくつかの実施形態では、形成される角度は、９０°未満または１３５°を超えてもよい。一実施形態では、角度は、側壁に沿って相対的に一定であってもよく、例えば、角度は、平均側壁角度の５°を超えて変化しなくてもよい。他の実施形態では、角度は、より多く変化してもよい。
【０１４２】
焼成容器が長方形の平坦底面を有する実施形態では、側壁は、それぞれが角度で平坦底面と交差する４つの四角形（例えば、４つの台形）の形態であってもよい。この角度は、４つの四辺形のすべてについて同様でもよく、または２つまたは３つの四辺形のみが同様の角度を共有してもよい。代替的な実施形態において、４つ全ての四角形は、異なる角度を有してもよい。
【０１４３】
焼成容器が長方形の平坦底面を有し、側壁が４つの四角形の形態である実施形態では、１本以上の破断線は、４つの四角形のうちの１つの中央領域を通過してもよい。別の実施形態では、１本以上の破断線は、例えば、四角形の長さの３分の１または４分の１中心からずれていてもよい。図４６は、長方形の平坦底面および中心外破断線を有する焼成容器の一例の実施形態を示す。図９０は、長方形の平坦底面および単一の偏心破断線を有する焼成容器の一例の実施形態を示す。別の実施形態では、１本以上の破断線は、側壁に沿って、または側壁の角内に形成されてもよい。
【０１４４】
一実施形態では、焼く間にケーキまたはマフィンバターを保持するために焼成容器を使用することができる。しかしながら、その焼成容器は、いくつかの他の食品、特に、焼成容器に添加されたときに液体であっても粘性であってもよく、次いで、焼き、調理、冷却、乾燥、または設定後に、それらの形状を焼成容器内に（おそらく内部の縁部に対して）保持し得るものにうまく使用され得ることが想定される。例えば、焼成容器は、酵母生地（例えば、パネトーネ）、無濾過生地、穀物、無穀物生地、挽肉、ピザ、カルゾーン、バークッキー、ドライフルーツ、プリン、ゼラチン、クエ、カスタード、フラン、チーズケーキ、焼きパスタ、ペストリー、焼き卵料理、チーズ、スープ餃子、チョコレート、充填チョコレートまたは重層チョコレート（例えば、ＲＥＥＳＥ’Ｓピーナッツバターカップ）、ファッジ、キャンディ、バター、アイスクリーム、アイスクリーム、パフ入り穀物スナック（例えば、ライスクリスピートリーツ）、ナッツバター、豆腐、または他の食品と共に使用されてもよい。
【０１４５】
一実施形態では、生または部分的に調理された食品を、焼成容器に包装して販売用に配布してもよい。ここで、食品は生であってもよく、冷凍であってもよく、冷蔵であってもよく、乾燥されていてもよく、部分的に焼かれていてもよく、１つ以上の材料が欠けていてもよい（水または卵が欠けているなど）。次いで、消費者は、追加の容器を使用することなく、必要な材料を添加して焼くことによって食品を調製することができる。
【０１４６】
一実施形態では、焼成容器は、リムの一部に取り付けられた上部カバーまたは蓋を備えてもよい。上部カバーまたは蓋は、側壁と一体であるか、または別々に取り付けられてもよい。一実施形態では、この上部カバーまたは蓋は、蒸気を含有するために、焼いている間は閉じられてもよい。上部カバーまたは蓋を閉じた状態での調理または焼くことは、パピヨットまたはアルカルトッチョ調理、すなわち、密封されたパッケージ内での調理と類似していてもよい。別の実施形態では、上部カバーまたは蓋は、より長い期間、蒸気および／または熱を含有するために、焼成後に閉じてもよい。一実施形態では、上部カバーまたは蓋は、焼成容器が帯上または引っ張りタブ上で引っ張ることによってのみ開くことができるように、恒久的に密封または閉じてもよい。
【０１４７】
別の実施形態では、焼成容器は、饅頭、餃子、ケーキ、またはプリンを蒸すために使用されるために、平坦底面に穴を有するカバーまたは蓋を含んでもよい。別の実施形態では、焼成容器は、電子レンジ調理のためにサセプタで内張りされてもよい。サセプタは、金属化されたフィルム、金属片、またはセラミックを含み得、これらは、「クリスピングスリーブ」と同様の機能で、マイクロ波放射線を吸収し、伝導または赤外線照射によって食品に向けて熱を放出する。サセプタで内張りされた焼成容器は、例えば、焼成容器内でペストリーまたはパイの皮にこんがりと色をつけるために有用であり得る。焼成容器は、任意のタイプの熱源、例えば、限定されないが、薪オーブン、対流オーブン、および電気オーブン、ガスオーブン、チャコールグリル、ソーラーオーブン、燻製器、ステルノ調理燃料、不燃性化学反応、または他の熱源と共に使用されてもよい。
【０１４８】
一実施形態では、１つ以上の焼成容器は、一緒に取り付けられて形成されてもよい。例えば、１ダースのカップケーキに標準的な金属製の焼き型を使用するのではなく、互いに連結したカップケーキサイズの焼成容器の配列を使用してもよい。好ましくは、焼成容器は、例えば、破断線を有する紙によって取り付けられ、容易に引き裂かれ得る取り付けによって連結される。一実施形態では、そのような取り付けられた焼成容器は、１２個以上または１２個未満の焼成容器の配列で販売または配布されてもよく、消費者は、使用前に必要に応じて焼成容器を取り外しまたは分離してもよい。別の実施形態では、焼成容器の配列は、焼成容器を互いに取り付けることによってではなく、追加の構造に取り付けることによって形成されてもよく、または焼成容器は追加の構造内に収まってもよい。
【０１４９】
一実施形態では、焼成容器の側壁および／または平坦底面は、０．０５〜０．７０ｍｍ、好ましくは０．１０〜０．５０ｍｍ、より好ましくは０．１５〜０．４０ｍｍの厚さを有するが、いくつかの実施形態では、厚さは、０．０５ｍｍ未満または０．７０ｍｍを超えてもよい。例えば、いくつかの実施形態では、厚さは、０．７５〜０．８０ｍｍ、０．８０〜０．９０ｍｍ、０．９０〜１．００ｍｍ、または１．００ｍｍを超えてもよい。一実施形態では、側壁および／または平坦底面は、紙の１つの層などの材料の１つの層のみを含んでもよいが、他の実施形態では、側壁および／または平坦底面は、材料の２つ以上の層を含んでもよい。これらの２つ以上の材料層は、同一または異なる材料であってもよく、一緒に接着されてもよく、接着されなくてもよい。
【０１５０】
一実施形態では、焼成容器は、外層、または外側側壁層をさらに含んでもよい。ここで、内部にある他方の層としては、内層が考えられる。関連する実施形態において、焼成容器は、独自の側壁および平坦底面を有する内層、ならびに独自の側壁および平坦底面を有する外層を含んでもよい。内層および外層は、類似または異なる材料を含んでよく、焼成容器について本明細書に記載されるものと同様の構造を有してもよい。一実施形態では、内層および外層は、ほぼ同じ高さであってもよいが、他の実施形態では、内層は、外層の高さよりも５〜６０％、１０〜５０％、または１５〜４０％長い周縁からリムの距離を有してもよい。一実施形態では、２つの層のうちの１つは、取り除いた後に引き裂かれてもまたは実質的に変形していなくてもよく、食品のプレートとして使用されてもよい。いくつかの実施形態では、内層および外層は、異なるテクスチャリングされてもよく、例えば、一方の層はテクスチャリングされ、もう一方の層は、平滑であるか、または概ねテクスチャリングされていなくてもよい。例えば、内層が平滑である一方で、外層はリブ付きであってもよい。
【０１５１】
一実施形態では、内層および外層は、側壁の任意の部分に接着されることなく、平坦底面の一部に接着されてもよい。さらなる実施形態では、内層および外層は、平坦底面の一部に接着されて取り付けられるが、側壁の上部またはリムには接着されなくてもよい。ここでは、側壁またはリムの上部は、内層および外層が糸またはリボンと交差し、縒ってあってもよい。糸またはリボンは、把持および引っ張られるように構成された端部を有し、糸またはリボンを抽出することにより、内層および外層の一部または全てが側壁で分離できるようにする。例えば、糸またはリボンは、途中で織られてもよく、糸またはリボンを引き出すことにより、内層を引き出し、引き裂くために、外層上のひだまたはタブを解放してもよい。内層および外層を有する焼成容器は、内側側壁層および外側側壁層を有すると考えられる。いくつかの実施形態では、単一の平坦底面は、図２７に示されるものと同様の配置を有し得る２つの側壁と接続してもよい。
【０１５２】
一実施形態では、内側側壁層は、焼成品の形状に適合してもよく、外側側壁層は、特定の角度または距離で内側側壁層からさらに遠くに突出してもよい。一実施形態では、外側側壁層は、内側側壁層からの１つ以上のひだまたは突起を含んでよく、層が部分的に接着された状態で、外側側壁層を引っ張り、内側層を引き裂くためのグリップを提供する。ひだは、垂直、水平、または何らかの中間角度であってもよい。一実施形態では、外側側壁層は、１つ以上の垂直ひだを有してもよい。特に、外側側壁層は、実質的に類似した形状の各々である垂直ひだを有してもよく、側壁の周囲において回転対称に位置してもよい。例えば、外側側壁層は、図５１Ａ〜Ｂに示されるような、ヒトデまたは５点星に類似した空中図を提供する５つの垂直ひだを有してもよい。別の実施形態では、外側側壁層は、ベルトループ、マグカップハンドル、またはホルスターに類似した、指の把持部を提供する、外側に突出するループを有し、外側側壁層を引っ張って引き裂くようにしてもよい。図４８は、外側側壁層が内側側壁層から外側にループを形成するセクションを有する、１つのかかる実施形態を示す。関連する実施形態において、ループではなく、外側側壁層は、代わりに、指のグリップを提供するためのポケットを有してもよい。他の実施形態では、外側側壁層は、内側側壁層から折り返されてもよく、実質的に水平なひだを作成する。一例では、図４９に示すように、水平ひだが内側側壁層の円周を囲んでよい。
【０１５３】
一実施形態では、外側側壁層は、内側側壁層を視認可能とする穴を有してもよい。好ましくは、内側側壁層の異なる色が視認可能である。これらの穴は、装飾形状または繰り返しパターンで形成されてもよく、ダイカットまたはレーザーカットであってもよい。そのような一例を図５０に示す。関連する実施形態では、外側側壁層の一部または全体は、メッシュ、スクリーン、透明フィルム、または内層が可視であり得る半透明フィルムを形成してもよい。
【０１５４】
一実施形態では、焼成容器の側壁、平坦底面、および／または縁は、羊皮紙、ワックス紙、防脂紙、またはベーカリー剥離紙と類似していてもよい。しかしながら、他の実施形態では、紙は、異なるタイプの紙に類似していてもよく、これには、アメート紙、スクリッタ紙、ブロッティング紙、レンズ紙、ボンド紙、段ボール、カードストック、カートリッジ紙、工作紙、コットンペーパー、クレープ紙、ドゥーペーパー、グラシン紙、インド紙、韓国紙（ハンジ）、クラフト紙、敷き紙、マニラ紙、ニュースプリント、オートミール紙（ｈｗａｎｇｊｉ）、オニオンスキンペーパー、折り紙、精肉店用紙、ライスペーパー、ローリング紙、ラッピング紙、コピー紙、サーマル紙、ティッシュペーパー、トレーシングペーパー、カレンダー紙、和紙、織物紙、ペーパーボード、および玄人紙が含まれるが、これらに限定されない。別の実施形態では、焼成容器は、結晶化ＰＥＴ、シリコーン、またはアルミニウムなどの金属箔など、オーブン可能で食品に安全な非紙材料を含んでもよい。他の実施形態では、側壁、平坦底面、および／またはリムは、糸およびリボンについて先に列挙された繊維または他の材料を含んでもよい。
【０１５５】
焼成容器の一実施形態では、側壁は、平滑、溝付き、ひだ付き、リブ付き、波形、またはプリーツ付きである。さらなる実施形態では、側壁上のこれらの構造は、装飾的であってもよく、例えば、側壁に強度を提供するか、または単一の材料から焼成容器を形成することを可能にするなど、機能的であってもよい。
【０１５６】
一実施形態では、焼成容器は、焼成容器が自立型であることを可能にする側壁を有し、つまり、焼成容器は、平らな表面上に置かれてもよく、中の食品が側壁の形を損なわないことを意味する。この実施形態において、焼成容器は、焼き型内のライナーとして使用される必要はなく、例えば、カップケーキ形状の焼成容器は、カップケーキ焼き型内に置かれるのではなく、オーブン内のクッキーシート上に置かれてもよい。別の例として、パイプレートまたはパイ皿のように焼成容器を使用してもよい。
【０１５７】
一実施形態では、焼成容器は、食用材料から作製されてもよく、その結果、焼成容器は、任意で、消費前に取り外されてもよい。この実施形態において、焼成容器は、米、ジャガイモ、トウモロコシ、キャッサバ、ソルガム、小麦、タピオカ、葛、山芋、サツマイモ、または他の果物、穀物、もしくは野菜由来の野菜デンプンを含んでもよい。関連する実施形態では、焼成容器の糸、引っ張りタブ、またはリボンは、食用材料を含んでもよく、例えば、引っ張りタブは、硬質の飴で作製されてもよく、またはリボンは、甘草で作製されてもよい。
【０１５８】
一実施形態では、焼成容器の側壁および／または平坦底面は、波形繊維板またはボール紙と同様に、２つの平らな層の間に波形層を有してもよい。他の実施形態では、焼成容器は、焼成または調理のために設計されるのではなく、食品包装として設計されてもよい。この実施形態では、ポリエチレンテレフタレート（ＰＥＴ）、ポリ（乳酸）（ＰＬＡ）、またはポリ（乳酸−コ−グリコール酸）（ＰＬＧＡ）など、そうでなければ熱感受性を有し得る他の食品安全な材料を使用してもよい。
【０１５９】
一実施形態では、焼成容器は、リサイクル可能な材料のみを含むか、または焼成容器は、堆肥可能な材料（植物繊維およびＰＬＧＡなど）のみを含む。一実施形態では、焼成容器は、天然であるか、または化学的に処理されていない材料のみを含む。例えば、焼成容器は、天然由来の紙または再生紙を含んでもよい。焼成容器は、漂白されていない紙を含んでもよい。
【０１６０】
一実施形態では、焼成容器の内部は、食品グレードの放出剤でコーティングおよび／または含浸されてもよい。いくつかの実施形態では、食品グレードの放出剤は、植物油またはデンプンであってもよい。別の実施形態では、漂白クラフト、低密度ポリエチレン、アルミホイル、またはシーラントからなるフィルムなどのバリア層が添加されてもよい。あるいは、ライナーは、焼成容器が完全にまたは部分的に形成された後に、焼成容器に挿入されてもよい。関連する実施形態では、焼成容器の内部は、食品が側壁または平坦底面の内部に付着しないようにテクスチャリングされてもよい。あるいは、内部は、焼成を補助するためにテクスチャリングされてもよい。
【０１６１】
一実施形態では、焼成容器の内部および／または外部は、グラフィック処理または装飾テクスチャを含んでもよい。これには、印刷、スプレー、浸漬、染色、ブラシ、エンボス加工、エッチング、コーティング、つや消しコーティング、光沢コーティング、高光沢コーティング、照射、焦げ、エンボス加工、および／またはデボス加工が含まれるが、これらに限定されない。さらに、サーモクロミックインク、フォトクロミックインク、蛍光インク、および／または蛍光インクなどの特殊インクを使用することができる。関連する実施形態において、焼成容器の内側および／または外側は、装飾、広告、グラフィック、画像、テキスト、または異なる色を含んでもよい。一実施形態では、側壁の内部は、クーポンまたはカスタムメッセージを含んでもよく、クーポンまたはカスタムメッセージは、帯の内部に位置してもしなくてもよい。一実施形態では、内部装飾、広告、グラフィック、画像、テキスト、または着色は、焼成容器の外側からは視認できないため、側壁を開く前に明らかにされない場合がある。しかしながら、別の実施形態では、そのような内部装飾は、外部から部分的に視認できてもよい。
【０１６２】
いくつかの実施形態では、焼成容器は、限られた数の特徴から構成されてもよい。上述のいくつかの特徴は組み合わせ可能であるが、いくつかの特徴が意図的に組み合わされない、または増加されない場合も、実施形態は可能である。例えば、焼成容器は、１つの引裂帯のみを有してもよい。別の実施形態では、焼成容器は、把持するための１つのひだ、リボン、糸、ステッカー、または引っ張りタブのみを有してもよい。別の実施形態では、焼成容器は、１つのタイプの材料（１つのタイプの紙など）のみから作製されてもよく、および／または１つの側壁および平坦底面のみを有してもよい（すなわち、焼成容器は多層ではない）。
【０１６３】
ここで図面を参照すると、同様の参照番号は、いくつかの図全体を通して同一または対応する部分を示す。
【０１６４】
図１Ａ、２Ａ、３Ａ、４Ａ、および５Ａは、図１Ｂ、２Ｂ、３Ｂ、４Ｂ、および５Ｂのそれぞれの上面図を有する焼成容器１０の側面図を表す。
【０１６５】
図１Ａおよび図１Ｂは、帯２２を形成する周縁１４、側壁１６、リム１８、および破断線２０を有する平坦底面１２を有する焼成容器１０を示す。ここで、破断線２０は、リム１８から周縁１４上の第１の点対２４にのみ延びる。帯は、両端のいずれかまたは両端から引き裂かれるように構成されてもよい。
【０１６６】
図２Ａおよび２Ｂは、破断線２０が、平坦底面１２の周縁１４内の第１の点対２４から第２の点対２６に延びることを除いて、図１Ａおよび１Ｂと同様の焼成容器１０を示す。帯は、両端のいずれかまたは両端から引き裂かれるように構成されてもよい。
【０１６７】
図３Ａおよび３Ｂは、破断線２０が第１の点対２４から周縁の反対側に位置する第３の点対２８にさらに延びることを除いて、図２Ａおよび２Ｂと同様の焼成容器１０を示す。帯は、両端のいずれかまたは両端から引き裂かれるように構成されてもよい。
【０１６８】
図４Ａおよび図４Ｂは、破断線２０が第１の点対２４から側壁の反対側に位置する第４の点対３０にさらに延びることを除いて、図３Ａおよび３Ｂと同様の焼成容器１０を示す。帯は、両端のいずれかまたは両端から引き裂かれるように構成されてもよい。一実施形態では、第３の点対の近くの帯の端部は、図１３に示されるつまみ点３６と同様に、引き裂かれるつまみ点を形成してもよい。
【０１６９】
図５Ａおよび図５Ｂは、破断線２０がさらに、破断線が最初に延びるリムの反対側に位置する第５の点対３２に延びることを除いて、図４Ａおよび４Ｂと同様の焼成容器１０を示す。帯は、両端のいずれかまたは両端から引き裂かれるように構成されてもよく、各端が区別できないように対称的に設計されてもよい。
【０１７０】
図６Ａおよび図６Ｂは、焼成容器１０のそれぞれの側面図および上面図を示す。この実施形態は、リム１８をわずかに超えて延びる引っ張りタブ３４を特徴とする。本実施形態では、破断線により形成された帯２２は、リムから周縁部まで横断し、次いで周縁部の一部に沿って続く。実際には、引っ張りタブ３４を引っ張る人が帯２２を引き出し、底面１２を側壁１６から部分的に分離する。いくつかの実施形態では、側壁の周縁または周縁を辿る帯は、完全な円、大きな円弧、または小さな円弧を辿ってもよい。図７Ａ、７Ｂ、および９は、帯がほぼ完全な円を辿る実施形態を示す。
【０１７１】
一実施形態では、帯２２は、側壁の完全な周囲を横切る単一の破断線と交差してもよい。そのような一例を図８Ａの焼成容器１０に示す。帯および側壁を取り外すことは、底部５４（図８Ｂ）を残してもよく、底部５４は、焼成品に依然として取り付けられていてもよく、またはプレートとして使用されてもよい。図８Ｂはまた、内面上に印刷ラベル３８を有する側壁１６の分離された上部を示す。図９および図５５は、焼成容器１０が、底部５４を引き裂き、側壁から完全に分離したまま残すように構成され得る関連する実施形態を示す。これらの実施形態では、底面部分は、側壁の総高さの５〜５０％、好ましくは１０〜４５％、より好ましくは１５〜４０％の高さを有していてもよいが、いくつかの実施形態では、底面部分は、５％未満または５０％超の高さを有してもよい。いくつかの実施形態では、焼成容器の底面を完全に分離することは、スプリングフォームパンを開くことと類似していてもよい。
【０１７２】
図１０および１１は、２つ以上の帯２２が存在し、交差経路が存在する異なる焼成容器１０を示す。図１０において、帯は、直交帯２２（例えば、水平帯）の側面を引き出すことなく、１つの帯２２（例えば、垂直帯）を完全に引き裂くことができるように構成されてもよい。別の実施形態では、両方の帯２２は、全ての帯２２が一緒に引き裂かれるように、一緒に補強されてもよい。図１１において、帯２２は、１つの帯２２を引き出すことが他の２つを引き出すように、一緒に補強または接続されてもよい。しかしながら、いくつかの実施形態では、２つ以上の帯２２は平行であってもよく、偏心または非対称パターンで配置されてもよい。関連する実施形態において、焼成容器は、均一な切断または配分を可能にするために半径方向に配置された帯を有してもよい。例えば、焼成容器は、標準的なパイ皿のサイズであってよく、それぞれ約６０°の６つの中心角度を形成するための３つの半径方向に配置された帯、またはそれぞれ約４５°の８つの中心角度を形成するための４つの半径方向に配置された帯を有してもよい。
【０１７３】
図１２は、引っ張りタブ３４を有する帯２２を有する焼成容器１０の実施形態を示し、帯２２は平坦底面１２に側壁１６を横断し、次いで他端で側壁を横断する。この実施形態において、帯は、平坦底面１２を横切る中心に位置しない。この配置が、焼成容器を２つの部分に完全に分離するため、２つの部分のいずれかが食品上に残されてもよい。他の実施形態では、帯の両端に引っ張りタブを有してもよく又どちらにも有していなくてもよい。
【０１７４】
図１３は、破断線および帯が、図３Ｂまたは図４Ｂと同様の経路を辿る焼成容器１０を示す。ここでの違いは、平坦底面１２の近くの帯の端部がつまみ点３６を形成しているので、帯が容易に把持され、焼成容器のその部分から離れる方向に引くことができることである。この実施形態では、つまみ点３６は、例えば、ステッカーとして余分な材料を接着することによって作成された折り目、皺、または延長部によって突出するように設計される。一実施形態では、つまみ点３６は、一方の端部に接着された細長いステッカーを有し、他方の端部から持ち上げて引っ張ることにより、特定の方向に引裂帯を生じさせる。別の実施形態では、つまみ点は突出するように設計されていなくてもよいが、その位置における帯の端部は、その位置が焼成容器の底面縁部上にあるため、容易に平らにつまむことができる。いくつかの実施形態では、つまみ点３６は、消費者がそれをより容易に見つけることができるように、焼成容器の残りの部分とは異なる着色がされていてもよい。他の実施形態では、つまみ点は、特に焼成容器の外側が油脂と接触している場合、把持を容易にするために粗くした表面または処理された表面を有してもよい。
【０１７５】
図１４は、側壁１６の途中までつまみ点３６を有する焼成容器１０を示す。図１３と同様に、つまみ点は、ひだ、皺、または側壁に直接取り付けられた材料によって突出してもよい。図１４は、焼成容器を下向きに、および底部に沿って引き裂くことを可能にするが、この構造はまた、つまみ点からの上向きの引き裂きを可能にするための追加の破断線で構成され得る。
【０１７６】
図１５は、円周方向のひだ５８またはつまみ点を有する焼成容器１０を示す。このひだは、焼成容器の全周囲に延びていてもよいが、いくつかの実施形態では、ひだは、側壁の一部に沿って可能な場合もある。図１５は、平坦底面と実質的に平行である円周方向のひだを示すが、他の実施形態では、ひだは傾斜していてもよい。いくつかの実施形態では、円周方向のひだは、惑星の環のように装飾されてもよく、または花弁のように形作られてもよい。図１５は、ひだから始まる引裂帯２２を示しており、いくつかの実施形態では、複数の引裂帯は、円周方向のひだから存在してもよい。いくつかの実施形態では、円周方向のひだは、側壁の表面に沿って突出していなくてもよいが、上下に折り返されていてもよい。いくつかの実施形態では、円周方向のひだはカフスのように考えられてもよく、フリルまたは曲がるストローのネック部と同様に、２つ以上の円周ひだが存在してもよい。
【０１７７】
図１６Ａおよび１６Ｂは、平坦底面の底側６２に底部が折り返された引っ張りタブ６０を有する焼成容器１０を示す。図１３に示されるつまみ点と共に、この底部ひだ構成は、帯２２に接続された引っ張りタブを隠す手段を提供してもよい。
【０１７８】
図１７Ａは、底部が折り返された引っ張りタブ６０を有する凹型底部６４を有する焼成容器１０の矢視図を示す。この実施形態において、底部が折り返された引っ張りタブ６０は、焼成容器の底部に対して平らに横たわらず、これにより、指によってより容易に持ち上げることを可能にすることに留意されたい。図１７Ｂは、図１７Ａの焼成容器１０の底面図を示す。ここで、底部が折り返された引っ張りタブ６０は、図３Ｂに示される帯２２の経路と同様に、まず平坦底面６２の底部を横切って、次いで側壁を上方に引き裂かれてもよい。
【０１７９】
図１８〜２２は、帯２２に取り付けられた底部が折り返された引っ張りタブ６０を有する焼成容器１０の異なる実施形態を示す。図１９〜２２は、１つの帯を有する焼成容器を示すが、それぞれが帯に取り付けられた、２つ以上の底部が折り返された引っ張りタブ６０が存在し得ることが同様に想定される。具体的には、図１８に描かれるように、底部６２のすべてのひだは、帯に取り付けられた底部ひだ状引っ張りタブ６０であってもよい。焼成容器の底部ひだは、直線縁部、または湾曲縁部を有してもよい。場合によっては、底部ひだは、図２０および２１にあるように、花弁の設計上同様であってもよく、帯２２を引き裂くことは、花びらを摘むことを模倣してもよい。場合によっては、この効果を強調するために、平坦底面の底面６２にさらなる装飾６６が追加されてもよい。いくつかの焼成容器に関して、底部ひだは、側壁および平坦底面の形状に固有であってもよい。例えば、円筒状または円錐台形の焼成容器は、単一の羊皮紙から成形されてもよい。この形状は、側壁および平坦底面のひだ部を含んでもよく、ここで、底部の１つ以上のひだは、破断線に対応する位置で作られてもよい。
【０１８０】
図２３〜２８は、異なる側壁構造を有する焼成容器１０の矢視図を示す。図２３は、側壁１６および平坦底面１２が１つの材料から形成される焼成容器１０である。図２４、２５、２７、および２８は、焼成容器１０が、例えば接着剤および／またはビーズ付きのひだによって共に接続された２つの材料から形成される、異なる実施形態を示す。図２４および２５は、図２４のように側壁１６によって囲まれてもよく、または図２５のように側壁１６の外側に位置し得るＵ字型平面底部６８を示す。
【０１８１】
図２６〜２８は、側壁１６の底面縁部の上の高さで平坦底面を位置決めすることによって作成される、凹型底部空間６４を有する焼成容器１０を示す。凹型底部のこの構成、ならびに図２４および２５の焼成容器１０の構成は、一般的な紙コップと類似していてもよく、側壁は、平らな材料片を円筒形状になるように転がすことによって形成されてもよい。
【０１８２】
図２６は、側壁１６、反転Ｕ字型底部７０、およびＵ字型内部６８を有する焼成容器１０を示す。同様に、焼成容器１０は、図２６と同様に形成されてもよいが、２つのＵ字型および反転Ｕ字型の内側部分（６８，７０）のみが共に接続されていることが想定される。
【０１８３】
図２７は、Ｕ字形平面底部６８が、側壁内部に沿ってその周縁から上向きに延びる側面を有し得る、焼成容器１０の実施形態を示す。
【０１８４】
図２８は、平面底部７０が逆Ｕ位置にある別の実施形態を示す。
【０１８５】
図２９は、破断線２０および帯２２が側壁を斜めに横切って、それらがさらに側壁の曲率に従うようにする、焼成容器１０である。この実施形態において、側壁の連続した部分は、食品から剥離されてもよい。帯２２は、１回未満（例えば、２７０°〜３１０°の弧を覆う）、約１回、または１回を超えて巻き付けられてもよい。関連する実施形態では、破断線２０または帯２２は、例えば、長方形の焼成容器の平坦面である側壁１６の周囲に巻き付けられてもよい。焼成容器１０の周囲に巻き付いた破断線２０は、互いに固定された間隔を維持しても、維持しなくてもよい。一実施形態では、焼成容器１０の周囲に巻き付いた破断線２０は、変化する間隔を有してもよく、または異なるパターンを形成してもよい。一実施形態では、巻きつける形の破断線２０を有する焼成容器１０は、例えば、広口瓶を開けるのと同様に、使用者が上部を底部に対してねじることによってねじって開けてもよい。このねじれ運動は、１本以上の破断線のうちの１つ以上のセグメントを破壊してもよい。これで、焼成容器１０は、より容易に取り外すことができる。関連する実施形態では、焼成容器は、ジグザグ経路に続く帯２２、またはいくつかの角度および／またはターンを有する経路を有してもよい。かかる帯２２は、焼成容器表面積のかなりの部分を覆ってもよく、直線の帯２２よりも焼成容器を取り外すためにより有用であってもよい。好ましくは、ジグザグ経路を有する帯、またはいくつかのターンおよび／または角度は、糸またはリボンで補強される。図３０は、帯２２が底部の引っ張りタブ３４から引き出されるように構成されることを除いて、図２９の焼成容器１０の変形例である。
【０１８６】
図３１〜３７は、帯および引っ張りタブの異なる設計を有する焼成容器１０を示しており、そのうちのいくつかとして、装飾的または飾りが考えられる。
【０１８７】
図３１は、ファスナー引っ張りタブの形状にあるか、またはファスナー引っ張りタブの印刷された画像を有する、引っ張りタブ３４を有する焼成容器１０を示す。装飾印刷３８は、機能しないファスナー歯を形成してもよい。
【０１８８】
図３２は、引っ張りタブ３４が底部から引き出されるように構成されることを除いて、図３１に描かれている焼成容器１０の変形を示す。
【０１８９】
図３３は、印刷されたデザイン３８による装飾の一部を形成する拡大された引っ張りタブ３４を示す。この実施形態では、いずれかまたは両方の引っ張りタブを使用して、焼成容器を開くことができる。好ましくは、引っ張りタブは、幼い子供が簡単に引っ張りタブを把握し、自力で焼成容器を開くことができるような大きさである。
【０１９０】
図３４は、装飾要素を有する焼成容器１０の変形を示す。ここで、１つ以上のステッカーは、１つ以上の帯の底部に取り付けられてもよい。これらのステッカーは、装飾および／または拡大された引っ張りタブ３４として機能してもよい。
【０１９１】
図３５は、拡大引っ張りタブ３４を有する焼成容器１０の別の実施形態を示す。引っ張りタブ３４は、異なる機会のために任意の様々な形状を形成し得ることが想定される。いくつかの実施形態では、引っ張りタブは、焼いた後に装飾または修正されてもよい。例えば、番号、メッセージ、または人物の名前は、引っ張りタブ３４に書き込まれてもよい。いくつかの実施形態では、引っ張りタブは、平らな材料ではなくてもよいが、三次元形状に折り返されてもよい。
【０１９２】
図３６は、拡大された装飾的引っ張りタブ３４を有する焼成容器１０の別の実施形態を示す。この場合、引っ張りタブは、焼成容器の底部からより容易に引き出すことができる。
【０１９３】
図３７は、リング４０の形態の引っ張りタブを示す。穴で構成された他の形状の引っ張りタブを使用して、引っ張りタブ３４にグリップを提供し、焼成容器から帯２２を容易に引き裂くこともできる。
【０１９４】
図３８は、リム１８の幅が周縁の幅とほぼ同じである、直線の辺を有する焼成容器の実施形態を示す。この実施形態において、引っ張りタブ３４は、リムから延びるが、帯２２または側壁１６に対して下向きに折り返す、または平らに折り返すように設計される。加えて、この実施形態は、隆起または波紋を有するリム１８を示す。関連する実施形態では、図３８と同様の外観を有する焼成容器は、リムから延びるのではなく、平坦底面からまたは周縁から延びる引っ張りタブを有してもよい。さらに、焼成容器は、例えば、０°〜５°、５°〜１０°、１０°〜３０°、３０°〜６０°、６０°〜９０°、９０°〜１２０°、１２０°〜１５０°、１５０°〜１７０°、１７０°〜１８０°の範囲の最小角度を形成する、最寄りの破断線２０に対して任意の角度で折り返された引っ張りタブを有してもよい。いくつかの実施形態では、リムの隆起または波紋は、側壁を凹凸または圧着することによって作成されてもよい。他の実施形態では、リム内の隆起または波紋は、それらの形状を直接焼成容器に切断することによって作成されてもよい。他の焼成容器は、波、縞、裂け目、凸凹、溝、ステップ機能、および鋸歯を含んでいてもよいが、これらに限定されない他の形状を有するリムを有してもよい。これらの実施形態では、引っ張りタブは、存在する場合、リムパターンの一部を形成しても、形成しなくてもよい。
【０１９５】
図３９は、平行ではない破断線２０を有する焼成容器１０の実施形態を示す。この特定の実施形態では、破断線２０は同様の内部角度を有するが、他の実施形態では、破断線２０は不均等な角度を有してもよく、互いに向かってまたは離れて向けられてもよく、帯２２の対称または非対称形状を形成してもよい。この実施形態では、帯２２が周縁部１４に向かって幅を増加させる場合、拡大帯は、人物がより迅速に食品から焼成容器１０の大部分を取り外すことを可能にてもよく、またはそうでなければ焼成容器１０の大部分を開くことを可能にしてもよい。一つの関連する実施形態において、焼成容器１０から取り外される帯２２は、残りの焼成容器の表面積とほぼ等しい表面積であってもよい。別の実施形態において、焼成容器１０から取り外される帯２２は、残りの焼成容器１０よりも大きい表面積を有してもよい。別の関連する実施形態では、帯２２は、それが焼成容器１０から取り出されるにつれて幅が拡大し続けてもよい。他の関連する実施形態では、破断線２０を配置して、異なる形状の帯２２を形成してもよい。例えば、帯２２は、拡大してロゴを配置するスペースを形成してもよく、または帯２２は拡大して、ドル記号（＄）の輪郭を形成してもよく、帯の長方形のセグメントは、ドル記号内の垂直線を形成する。
【０１９６】
別の実施形態では、帯の内部は、装飾またはラベル付けされてもよく、帯の幅は、異なる装飾またはメッセージを可能にするようにサイズ決定されてもよい。これらの実施形態では、好ましくは、メッセージまたは装飾は、焼成容器１０の外側からは視認できない。帯上のそのような内部装飾は、数字（例えば、くじ引き、ゲーム、またはランダムなグループ割り当てのための数字）、霊動物、占い、漫画キャラクター、宗教的な一説、数学方程式、または特注のメッセージを含んでもよい。図８Ｂは、上側側壁の内部部分がラベル３８を有する、関連する実施形態を示す。いくつかの実施形態では、帯の内部および側壁の内部の両方が装飾またはラベル付けされてもよい。
【０１９７】
図４０は、破断線２０を形成する補強リボン４２を有する焼成容器１０の実施形態を示し、補強リボンは側壁内に位置する。ここで、補強リボン４２は、焼成容器１０の弱い側壁１６および／または平坦底面１２に引張強度を付加する。この実施形態では、側壁１６は少量の力で引き裂かれる可能性があるため、弱化またはミシン目された破断線は必要ないかもしれない。したがって、側壁は、補強リボン４２の側面に沿って引き裂かれる。
【０１９８】
図４１は、食品４４を保持する別の焼成容器１０を示す。この実施形態において、破断線２０および帯２２は、リム１８の任意の部分と接続しない。代わりに、破断線２０および引っ張りタブ３４は、側壁１６の途中上方に位置決めされる。このおよび同様の実施形態では、焼成容器１０は、リム１８で始まるかまたは終わるように引き裂きを制御する必要はないと想定される。代わりに、帯２２を使用して、焼成容器１０の周りの途中でのみ引き裂くだけで十分であり、この時点で、制御されない引き裂きは、残りの経路を容易に完了できる。あるいは、帯２２は、制御された引き裂きの途中でのみ使用され、次いで、消費者は、他の手段によって焼成容器の他の側面を引き裂く、または取り除くことができる。この実施形態では、帯は、引っ張りタブ３４またはつまみ点を有することが好ましい。
【０１９９】
図４２は、糸４６によって作成された破断線２０を有する焼成容器１０の実施形態を示す。換言すると、帯２２または帯自体の側部は、糸４６によって補強される。ここで、糸は側壁１６内に取り付けられている。この実施形態において、引っ張りタブ３４を引っ張ることは、糸４６を間接的に引っ張り、破断線２０に沿って帯２２を引き裂く。しかしながら、他の実施形態では、糸４６自体は、破断線２０に沿って引っ張られてもよく、引っ張りタブ３４が存在していてもなくてもよい。いくつかの実施形態では、２本の破断線２０は、２つの糸４６によって形成されるのではなく、ループして方向を逆転する単一の糸によって形成されてもよい。この実施形態において、ループ糸の端部は、帯２２を引き裂くために直接引き出されてもよい。
【０２００】
図４３は、単一の糸４８が２本の破断線間の帯２２を補強する、焼成容器１０の実施形態を示す。この実施形態では、糸は、側壁の内部に対して横たわってもよく、側壁の内部に接着されてもよく、側壁内に配置されてもよい。この実施形態において、側壁が破断線に沿って弱まるか、または帯が他の材料によって補強されるかのいずれかである。この破断線の弱化または帯の補強は、糸がその接触線に直接沿って側壁を引き裂くことを防止し、代わりに破断線２０に沿った引き裂きを誘発するために必要である。この実施形態は、補強リボンを使用する図４０と類似していてもよいが、全体的により低いコストまたはより少ない材料を使用するという利点を有し得る。
【０２０１】
図４４は、単一の破断線２０を有する焼成容器１０の実施形態を示す。ここで、破断線２０は、リング４０を有する糸４６によって作成される。糸は、側壁の内部に横たわってもよく、側壁の内部に接着されてもよく、または側壁内に配置されてもよい。この実施形態において、破断線２０は、弱くなっても弱くなくてもよい。いくつかの実施形態では、側壁１６は、糸を側壁に抗して引っ張ることにより、糸の経路に沿って、制御された引き裂きをもたらすのに十分な弱さである。先の実施形態で説明した引っ張りタブと同様に、リング４０は装飾的であってもよく、糸に取り付けられた紙のタブであってもよい。
【０２０２】
図４５は、単一の破断線２０を有する焼成容器１０の実施形態を示し、リングまたは他の構造が糸の端部に存在しないことを除いて、図４４の実施形態と同様である。糸は、側壁の内部に横たわってもよく、側壁の内部に接着されてもよく、または側壁内に配置されてもよい。この実施形態において、破断線２０は、弱くなっても弱くなくてもよい。いくつかの実施形態では、側壁１６は、糸をそれに抗して引っ張ると、糸の経路に沿って制御された引き裂きが生じるほど弱い。図４３、４４、および４５に関して、糸は、糸を引き出すことができる平坦底面の近くに自由端を有し得ることが同様に想定される。
【０２０３】
帯を形成する２つの破断線ではなく、単一の破断線が存在する図４４および４５において、本明細書で考察される焼成容器実施形態のうちのいずれかは、単一の破断線に還元された個々の帯、または単一の破断線に還元された個々の帯の一部を有し得ることが想定される。これらの単一の破断線は、糸によって作成されていても、作成されていなくてもよい。
【０２０４】
図４６は、長方形の周縁部１４およびリム１８を有する焼成容器１０の実施形態を示す。ここで、帯２２は、側壁から対向する側壁まで包み込む。ここでの帯２２は偏心して配置されるが、他の実施形態では、帯は中心に位置してもよい。このタイプの焼成容器１０としては、ローフケーキのための焼成容器１０が考えられる。いくつかの実施形態では、このような焼成容器１０のための帯２２は、ある角度で横断してもよく、または２つ以上の帯２２が存在して、焼成容器１０の一部を順次取り外し、均一な切断を可能とし、または焼成容器１０全体を一度に取り外すことをより容易に可能にしてもよい。
【０２０５】
図４７は、単一の破断線２０およびリムに取り付けられた蓋５０を有する焼成容器１０の実施形態を示す。ここで、蓋は、側壁１６の一体部分として形成されるが、他の実施形態では、蓋は、別個に形成され、取り付けられてもよい。蓋は、リビングヒンジによって接続されてもよいが、他の配置が使用されてもよい。蓋の端部は、蓋の閉鎖を指示する、または蓋を閉位置にロックもしくは固定するための折り返された挿入タブ５２を有してもよい。挿入タブは、側壁１６のスリットまたは他の構造に挿入されてもよく、いくつかの実施形態では、このスリットまたは他の構造は、焼成容器１０を引き裂いて開くための帯または破断線の一部を形成してもよい。例えば、挿入タブは、蓋を閉じてロックし、次いで、焼成容器１０を引き裂いて開くための引っ張りタブとしての目的の役割を果たしてもよい。
【０２０６】
図４８〜５１Ｂは、内側および外側側壁層を有する焼成容器１０の異なる実施形態を示す。図４８は、食品４４を有する焼成容器１０を示す。内側側壁層７２は、平滑であり、外側側壁層７４の上に突出しており、溝付きでもよい。外側側壁は、内側側壁層から突出するループ７８を形成し、ループは、破断線２０と一体である。
【０２０７】
図４９は、溝付き内側側壁層７２および平滑な外側側壁層７４を有する焼成容器１０を示す。外側側壁層は、図１５と同様の円周方向のひだ５８を有し、外側側壁層は、そこから破断線２０に沿って引き裂かれてもよい。
【０２０８】
図５０は、内側側壁層７２および外側側壁層７４が異なる着色をされている焼成容器１０を示す。外側側壁層７４は、内側側壁層が視認可能であるダイカット形状７６を有する。いくつかの実施形態では、ダイカット形状は、焼成容器を引き裂いて開けるまたは取り外すための経路または経路の一部を形成してもよい。しかしながら、他の実施形態では、ダイカット形状が引き裂きの経路と交差しない場合があり、図５０の装飾３８などの印刷された形状を使用してパターンを継続することができる。
【０２０９】
図５１Ａは、ひとで形状の外側側壁層７４および円筒形の内側側壁層７２を有する焼成容器１０の上面図を示す。図５１Ｂは、対応する斜視図を示す。ここで、外側側壁層は、焼成容器１０を取り外すまたは開くために把持され、引っ張られ得る、突出したひだ８０を有する。いくつかの実施形態では、内側および／または外側側壁層は、破断線を含んでもよい。同様の実施形態では、外側側壁層は、内側側壁層からの１つの突起または任意の数または配置の突起を有してもよい。いくつかの実施形態では、突起は回転対称であってもよく、プロペラ、海の生き物、または花などの形状を形成してもよい。
【０２１０】
図５２〜５７は、継ぎ目８２で閉じたまま保持された側壁を有する焼成容器１０の実施形態を示す。図５２および図５３に示すように、継ぎ目を有する焼成容器１０は、上または下隅８４から開放され、剥離され、引き裂かれてよい。いくつかの実施形態では、上部および下部コーナー８４の両方が引き裂くように構成されてもよく、または継ぎ目に沿った任意の場所が剥がれて開いてもよい。継ぎ目から焼成容器を開くそのような動作は、本のページをめくるのと類似していてもよく、またはスープ缶のラベルを剥がすのと同様であってもよい。いくつかの実施形態では、剥離のための継ぎ目の縁部または角は、接着されていなくてもよく、または前述のようなひだ、引っ張りタブ、糸、またはリボンを有して、焼成容器の開封を開始するものでもよい。
【０２１１】
側壁の継ぎ目を有する焼成容器は、ミシン目の破断線、または指定された引き裂き経路で構成する必要はない場合があるが、これは好ましい。制御された引き裂き経路がないと、どれだけ小切手帳またはペーパータオルをそのロールから取り出すのがどれだけ困難かを想像してみよう。図５４および５５はそれぞれ、継ぎ目から剥離が、指定された破断線、例えば、ミシン目によって形成された破断線に沿って制御された引き裂きをもたらし得る実施形態を示す。図５４では、底部の継ぎ目コーナーから上方に引き裂くと、斜めの破断線２０に沿って側壁が引き裂かれる。図５５において、継ぎ目８２からの開口部は、底部セクション５４の後ろに残り得る円周方向の破断線５６に沿って引き裂かれることになる。
【０２１２】
継ぎ目を有する焼成容器は接着されてもよいが、いくつかの実施形態では、それらは継ぎ目のタブまたは留め具によって閉じられてもよい。図５６は、スロット８８を通って押し込まれたタブ５２によって一緒に保持されている焼成容器１０を示し、図５７は、対称留め具８６によって共に保持されている焼成容器１０を示す。継ぎ目を一緒に保持するための他の構造およびファスナーが可能であってもよい。食品を取り出すために、消費者は、ファスナーを元に戻すことができるが、いくつかの実施形態では、ファスナーは、機能的であるよりも装飾的であってもよく、前述のもののいずれかなどの食品を取り出すいくつかの他の方法が使用されてもよい。
【０２１３】
図５８〜７１は、引っ張りタブ３４および切り欠き９０を有する焼成容器１０の異なる実施形態を示す。図５８は、広い引裂帯２２の端部に接続された長方形の引っ張りタブ３４を示す。破断線２０は、側壁の端部に接続されておらず、帯は破断線の端部のみに引き下げられてもよく、部分的に引き込まれてもよい。しかしながら、帯は、破断線の端部を通って、平坦底面の周りをさらに下方に引き込まれてもよい。図５９は、破断線２０を有する焼成容器１０が、幅のある引裂帯２２を画定する破断線の端部を接続する一実施形態を示す。ここで、帯２２は、きれいな縁部で引き裂かれてもよく、または破断線を横切って折り返されてもよい。
【０２１４】
図６０および６１はそれぞれ、少なくともリムおよび周縁部を接続し、幅のある引裂帯２２の側面を画定する破断線２０の異なる配置を有する焼成容器１０を示す。図６０は、図６１に示すように、破断線の位置を示すことによって、または引っ張りタブの側面を形成することによって、切り欠き９０が引裂帯の上部をどのように画定し得るかを示す。図６１および６２は、互いに平行ではない破断線の経路を示し、したがって、変化する幅を有する帯を形成する。
【０２１５】
図６３は、少なくともリムから周縁に接続する単一の破断線２０を有し、リム内のＶ字形切り欠き９０によって示される焼成容器１０の例を示す。切り欠き９０は、破断線の位置でリムを弱めることによって引き裂きの始端を形成するのを助けるか、または焼成容器上の破断線の位置の視覚的もしくは触覚的手がかりを形成するようにしてもよい。
【０２１６】
図６４および６５は、異なる引っ張りタブおよび広い引裂帯２２を有する焼成容器１０の異なる実施形態を示す。図６４において、引裂帯２２は、頂部の切り欠き９０および底部２０上の湾曲した破断線によって画定される。同様に、任意の焼成容器について、側壁上の任意の引裂帯は、平坦底面まで続けてもよく、および／またはさらに焼成容器の反対側の側壁上まで続けてもよいことが想定される。図６５において、引裂帯２２は、上部にテクスチャ加工された非長方形の引っ張りタブ９２、および下部にヒンジ９６によって画定される。引裂帯２２は、途中で、またはヒンジまで、またはヒンジ９６を通っても引き裂かれてもよい。
【０２１７】
図６６および６７は、実質的に垂直な引っ張りタブおよび実質的に水平な破断線を有する焼成容器の実施形態を示すが、しかしながら、他の実施形態は、垂直線からある程度の角度で引っ張りタブを有し、水平線からある程度の角度で破断線を有してもよい。図６６では、テクスチャリングされた引っ張りタブ９２は、ヒンジ９６に接続する水平破断線５６に接続する。その後、側壁をドアのように開くことができる。図６７において、伸長部分９４を有するテクスチャ付き引っ張りタブ９２は、水平および円周方向の破断線５６に接続する。破断線に沿って図６７の焼成容器１０を開くと、底部５４が残る。
【０２１８】
図６８および６９はそれぞれ、湾曲した側壁破断線１２２を有する焼成容器１０を示す。図６８では、破断線は、切り欠き９０および折り返された引っ張りタブ３４の両方でリムに到達する。図６９において、テクスチャ付き引っ張りタブ９２は、破断線１２２の底部に位置し、その結果、焼成容器１０は、破断線１２２を底部（すなわち、平坦底面の周縁）から頂部に引き裂くことによって開くことができる。他の実施形態では、引っ張りタブは、側壁ではなく平坦底面上に位置してもよい。
【０２１９】
図７０は、湾曲した破断線セグメントによって接続された２本の破断線２０によって画定される幅のある引裂帯２２を有する焼成容器１０を示す。ここでは、引裂帯を、単一の破断線によって確定されるように記述することも可能であってもよい。加えて、この実施形態において、リム１８は、ヒンジ９６を有するひだ状引っ張りタブ３４を有し、引っ張りタブは、リム内の長方形の切り欠き９０によって画定される。
【０２２０】
図７１は、リム１８内の切り欠き９０に接続する破断線２０によって画定される引裂帯２２を有する焼成容器１０を示す。さらに、帯は、ヒンジ９６を有する底部引っ張りタブ６０を有する。底部引っ張りタブは、接着剤によって取り付けられてもよい。
【０２２１】
図７２Ａおよび７２Ｂは、側壁１６と食品との間に所定の位置にタックされ、保持され得る、靴のタン９８の形態の側壁の一部を有する焼成容器１０の図を示す。このタン状部分９８は、引裂帯に類似していると考えてもよく、引っ張りタブを有してもよい。タンの底部は、側壁内部または平坦底面１２に接続されてもよい。ここで、タンの底部はヒンジ９６で接続されており、タン９８はその側面で接続されていない。他の変形例では、タンは、折り返された材料または接着剤によって接続されてもよい。図７２Ａおよび７２Ｂに示される焼成容器を開くことは、図５８および６５などの広い引裂帯について説明されるそれらの実施形態を開くことと類似していてもよい。
【０２２２】
図７３Ａ、７４Ａ、７５Ａ、７６Ａ、および７７Ａは、図７３Ｂ、７４Ｂ、７５Ｂ、７６Ｂ、および７７Ｂのそれぞれの上面図を有する焼成容器１０の側面図を表す。
【０２２３】
図７３Ａおよび７３Ｂは、周縁１４、側壁１６、リム１８、および破断線２０を有する平坦底面１２を有する焼成容器１０を示す。ここで、破断線２０は、リム１８から周縁１４上の第１の点１００までのみ延びる。破断線は、両端のいずれかまたは両端か引き裂かれるように構成されてもよい。
【０２２４】
図７４Ａおよび７４Ｂは、破断線２０が平坦底面１２の周縁１４内の第１の点１００から第２の点１０２まで延びることを除いて、図７３Ａおよび７３Ｂと同様の焼成容器１０を示す。破断線は、両端のいずれかまたは両端か引き裂かれるように構成されてもよい。
【０２２５】
図７５Ａおよび７５Ｂは、破断線２０が第１の点１００から周縁の反対側に位置する第３の点１０４までさらに延びることを除いて、図７４Ａおよび７４Ｂと同様の焼成容器１０を示す。破断線は、両端のいずれかまたは両端か引き裂かれるように構成されてもよい。
【０２２６】
図７６Ａおよび７６Ｂは、破断線２０が第１の点１００から側壁の反対側に位置する第４の点１０６までさらに延びることを除いて、図７５Ａおよび７５Ｂと同様の焼成容器１０を示す。破断線は、両端のいずれかまたは両端か引き裂かれるように構成されてもよい。
【０２２７】
図７７Ａおよび７７Ｂは、破断線２０がさらに、破断線が最初に延びるリムの反対側に位置する第５の点１０８まで延びることを除いて、図７６Ａおよび７６Ｂと同様の焼成容器１０を示す。破断線は、いずれかまたは両端か引き裂かれるように構成されてもよく、各端が区別できないように対称的に設計されてもよい。あるいは、破断線が第３の点１０４から第５の点１０８までさらに延びることを除いて、図７７Ａおよび７７Ｂは、図７５Ａおよび７５Ｂの焼成容器１０に類似していると考えてもよい。
【０２２８】
図７８は、平坦底面１２を横切る破断線１１０が平坦底面の面積を均等に分割しないことを除いて、図７７Ａおよび７７Ｂと同様の焼成容器１０を示す。平坦底面の破断線は、周縁の２点を直線で接続するが、直線は直径ではない。
【０２２９】
図７９〜８２は、リム１８から平坦底面１２および反対側のリムに接続する単一の破断線を有する焼成容器１０を示す。図７９および８０は、弧または三日月形と同様の湾曲した破断線１１２をより具体的に示し、図８１は、波動破断線１１４を示す。図８２は、平坦底面上に湾曲破断線１１２および直線破断線セグメントを有し、湾曲破断線は同心曲線上に位置する。
【０２３０】
図８３は、周縁１４の一部と同時に走る平坦底面上に湾曲した破断線１１６を有する焼成容器１０の実施形態を示す。いくつかの実施形態では、破断線は、周縁全体を兼ねて設けてもよく、他の実施形態では、破断線は、周縁の全長の５〜９８％、２０〜９７％、または５０〜９６％を兼ねて設けてもよい。他の実施形態では、周縁部の２つ以上のセグメントは、破断線で形成されてもよい。加えて、図８３は、リムまたは周縁と実質的に垂直な角度を形成しない、周縁にリムを接続する破断線を示す。
【０２３１】
図８４および８５は、平坦底面１２の幾何学的重心で交差する破断線１１８を有する焼成容器１０を示す。しかしながら、互いに交差する破断線は、周縁、側壁、または平坦底面上の任意の他の位置で交差してもよい。
【０２３２】
図８６は、他の破断線と交差するが、周縁１４または平坦底面１２に接続しない破断線１２０を有する焼成容器１０を示す。
【０２３３】
図８７〜８９は、各々がある種の曲線状側壁破断線１２２を有する焼成容器１０の実施形態を示す。図８７は、小さな角度（３０°）でリムと交差し、実質的に垂直な角度で周縁と交差する、湾曲した側壁破断線を有する。図８８および８９は、小さな角度で周縁と交差し、実質的に垂直な角度でリムと交差する、湾曲した側壁破断線を有する。図８８および８９は、一態様では、異なる方向に湾曲した側壁破断線によって区別される。図８８および８９はそれぞれ、平坦底面、１２上に直線破断線セグメントを有するが、図８７は、平坦底面上にギザギザしたジグザグ破断線を有する。いくつかの実施形態では、焼成容器の側壁の破断線は、ギザギザまたはジグザグであってもよい。
【０２３４】
図９０は、長方形の平坦底面１２と、切り欠き９０でリム間を接続する偏心シングル破断線１１０とを有する焼成容器１０を示す。
【０２３５】
図９１は、五角形の平坦底面１２を有する焼成容器１０、および平坦底面上に湾曲したセグメント１１２を有する破断線を示す。曲線セグメントおよび追加の破断線は、交差する破断線１１８である。
【０２３６】
図９２は、スタジアム形状の平坦底面１２および交差しない複数のリム間の破断線１１０を有する焼成容器１０を示す。また、焼成容器は、凸ではない平坦底面の形状を有してもよく、平坦底面とは異なる形状である側壁およびリムを有し得ることも想定される。例えば、長方形の周縁を有する焼成容器は、円形または丸いリムを有してもよい。角リムを有する焼成容器は、円形の平坦底面を有してもよい。側壁は、さらに、突起、凹み、および／またはプリーツを有してもよい。
【０２３７】
図９３は、リム１８から側壁１６上の第１の点対１２６の対までの単一の破断線２０を有する焼成容器１０を示す。第１の点対からの水平および円周方向の破断線５６は、水平帯２２を形成する。この実施形態では、焼成容器を開くことは、底部５４を残してもよい。
【０２３８】
以下は、本開示の例示的な実施形態である。
実施形態１：焼成容器であって、
周縁を有する平坦底面と、
周縁からリムまで延びる側壁と、および
リムから周縁上の第１の点まで延び、周縁上の第１の点から周縁内に位置する平坦底面上の第２の点まで延びる破断線と、を有し、
破断線は、引き裂かれて、側壁を開き、側壁の中に含まれる焼成食品からの取り外しおよび／または焼成食品の消費を容易にするように構成される、焼成容器。
【０２３９】
実施形態２：破断線が、第１の点から周縁の反対側に位置する第３の点までさらに延びる、実施形態１に記載の焼成容器。
【０２４０】
実施形態３：破断線が、平坦底面の中心を横切らない、実施形態１または２に記載の焼成容器。
【０２４１】
実施形態４：破断線が、平坦底面の中心を横切る、実施形態１〜３に記載の焼成容器。
【０２４２】
実施形態５：破断線が、第３の点から、第１の点から側壁の反対側に位置する第４の点までさらに延びる、実施形態１〜４のいずれか一項に記載の焼成容器。
【０２４３】
実施形態６：破断線が、第３の点からリム上に位置する第５の点までさらに延びる、実施形態１〜５のいずれか一項に記載の焼成容器。
【０２４４】
実施形態７：焼成容器が、２つの部分に完全に分離されるように構成される、実施形態１〜６のいずれか一項に記載の焼成容器。
【０２４５】
実施形態８：焼成容器の１つの部分が、焼成容器が２つの部分に完全に分離されたときに食品と接触したままになるように構成される、実施形態１〜７のいずれか一項に記載の焼成容器。
【０２４６】
実施形態９：破断線が、リムから周縁部への最短経路を辿って、周縁部と実質的に垂直な角度を形成する、実施形態１〜８のいずれか一項に記載の焼成容器。
【０２４７】
実施形態１０：破断線が、リムから周縁部への最短経路を辿らず、周縁部と実質的に垂直な角度を形成しない、実施形態１〜８のいずれか一項に記載の焼成容器。
【０２４８】
実施形態１１：破断線が周縁と交差して、２０°〜７０°の最小角度を形成している、実施形態１〜８、または１０のいずれか一項に記載の焼成容器。
【０２４９】
実施形態１２：破断線を形成しない側壁または平坦底面の一部が、破断線で抵抗される最大力よりも０．２〜１０倍大きい最大力に抵抗する、実施形態１〜１１のいずれか一項に記載の焼成容器。
【０２５０】
実施形態１３：破断線が、側壁、平坦底面、またはその両方の材料を弱めることによって形成されている、実施形態１〜１２のいずれか一項に記載の焼成容器。
【０２５１】
実施形態１４：破断線が、凹みまたは切れ目によって形成されている、実施形態１〜１３のいずれか一項に記載の焼成容器。
【０２５２】
実施形態１５：破断線が、ミシン目によって形成されている、実施形態１〜１４のいずれか一項に記載の焼成容器。
【０２５３】
実施形態１６：ミシン目が、ドット、ピンホール、または実質的に円形の孔である、実施形態１５に記載の焼成容器。
【０２５４】
実施形態１７：ドット、ピンホール、または穴が、０．０５〜１．００ｍｍの内径を有する、実施形態１６に記載の焼成容器。
【０２５５】
実施形態１８：側壁、平坦底面、またはその両方のミシン目が０．５〜１．５ｍｍ間隔である、実施形態１５〜１７のいずれか一項に記載の焼成容器。
【０２５６】
実施形態１９：ミシン目が、０．０５〜１．００ｍｍの幅および１．５：１〜５：１のアスペクト比を有する細長いスリットを含む、実施形態１５または１８に記載の焼成容器。
【０２５７】
実施形態２０：細長いスリットが、破断線に沿って細長い軸を有する、実施形態１９に記載の焼成容器。
【０２５８】
実施形態２１：細長いスリットが、破断線の経路と２０°〜６０°の角度を形成する細長い軸を有する、実施形態１９に記載の焼成容器。
【０２５９】
実施形態２２：破断線が、隣接する側壁、隣接する平坦底面、またはその両方を強化することによって形成されている、実施形態１〜２１のいずれか一項に記載の焼成容器。
【０２６０】
実施形態２３：隣接する側壁が、その厚さを増大させることによって強化されている、実施形態２２の焼成容器。
【０２６１】
実施形態２４：側壁が、溝付き、折り畳まれ、リブ付き、波形、またはプリーツ付きである、実施形態１〜２３のいずれか一項に記載の焼成容器。
【０２６２】
実施形態２５：側壁が滑らかである、実施形態１〜２４のいずれか一項に記載の焼成容器。
【０２６３】
実施形態２６：破断線に沿って位置する紐、ひだ、ステッカー、またはリボンをさらに備える、実施形態１〜２５のいずれか一項に記載の焼成容器。
【０２６４】
実施形態２７：ひだが存在し、ひだは、つまんで、引いて、破断線を破断させるように構成される、実施形態１〜２６のいずれか一項に記載の焼成容器。
【０２６５】
実施形態２８：紐、ひだ、ステッカー、またはリボンが、０．５〜６ｍｍの幅または直径を有する、実施形態２６または２７に記載の焼成容器。
【０２６６】
実施形態２９：紐、ひだ、ステッカー、またはリボンが、２〜４０ｃｍの全長を有する、実施形態２６〜２８のいずれか一項に記載の焼成容器。
【０２６７】
実施形態３０：破断線に位置する引っ張りタブをさらに備える、実施形態１〜２９のいずれか一項に記載の焼成容器。
【０２６８】
実施形態３１：破断線が、異なる着色またはテクスチャリングによって位置する、実施形態１〜３０のいずれか一項に記載の焼成容器。
【０２６９】
実施形態３２：破断線に沿った継ぎ目をさらに備える、実施形態１〜３１のいずれか一項に記載の焼成容器。
【０２７０】
実施形態３３：リムの一部に取り付けられた蓋をさらに備える、実施形態１〜３２のいずれか一項に記載の焼成容器。
【０２７１】
実施形態３４：側壁が、材料の２つの層を含む、実施形態１〜３３のいずれか一項に記載の焼成容器。
【０２７２】
実施形態３５：側壁の内部が、側壁の外部からは見えない装飾、広告、図形、画像、テキスト、または着色を含む、実施形態１〜３４のいずれか一項に記載の焼成容器。
【０２７３】
実施形態３６：第２の破断線をさらに備え、破断線および第２の破断線が、引裂帯の長さに沿って実質的に一定の幅を有する引裂帯を形成する、実施形態１〜３５のいずれか一項に記載の焼成容器。
【０２７４】
実施形態３７：平坦底面が実質的に円形である、実施形態１〜３６のいずれか一項に記載の焼成容器。
【０２７５】
実施形態３８：リムの直径対周縁の直径の比が、１：１〜２：１である、実施形態３７に記載の焼成容器。
【０２７６】
実施形態３９：平坦底面が、１：１〜１０：１のアスペクト比で実質的に長方形である、実施形態１〜３６のいずれか一項に記載の焼成容器。
【０２７７】
実施形態４０：焼成容器であって、
周縁を有する平坦底面と、
周縁からリムまで延びる側壁と、
リムから周縁上の第１の点対まで延びる２本の破断線と、を含み、
２本の破断線が、２本の破断線に沿って引き裂かれるように構成された帯を形成し、および
帯は、引き裂かれて、側壁を開き、側壁の中に含まれる食品からの取り外しおよび／または食品の消費を容易にするように構成される、焼成容器。
【０２７８】
実施形態４１：２本の破断線が、第１の点対から平坦底面上の第２の点対に延び、第２の点対が周縁内に位置する、実施形態４０に記載の焼成容器。
【０２７９】
実施形態４２：２本の破断線が、第１の点対から周縁の反対側に位置する第３の点対にさらに延びる、実施形態４０または４１に記載の焼成容器。
【０２８０】
実施形態４３：２本の破断線が、第３の点対から、第１の点対から側壁の反対側に位置する第４の点対までさらに延びる、実施形態４０〜４２のいずれか一項に記載の焼成容器。
【０２８１】
実施形態４４：２本の破断線が、第３の点対からリム上に位置する第５の点対までさらに延びる、実施形態４０〜４３のいずれか一項に記載の焼成容器。
【０２８２】
実施形態４５：帯は、側壁および／または平坦底面を形成する他の場所の材料よりも１．０５〜１０．００倍の平均厚さを有する材料から形成される、実施形態４０〜４４のいずれか一項に記載の焼成容器。
【０２８３】
実施形態４６：帯が、帯をつまんで、引いて、引き裂くように構成された引っ張りタブまたはひだをさらに含む、実施形態４０〜４５のいずれか一項に記載の焼成容器。
【０２８４】
実施形態４７：引っ張りタブまたはひだが、平坦底面の底面上に位置する、実施形態４０から４６のいずれか一項に記載の焼成容器。
【０２８５】
実施形態４８：引っ張りタブが存在し、引っ張りタブは、帯の幅よりも大きい幅を有する、実施形態４６または４７に記載の焼成容器。
【０２８６】
実施形態４９：引っ張りタブが存在し、引っ張りタブが、リムを超えておよび／または平坦底面を超えて延びる帯によって形成されている、実施形態４６〜４８のいずれか一項に記載の焼成容器。
【０２８７】
実施形態５０：帯が実質的に一定の幅を有する、実施形態４０〜４９のいずれか一項に記載の焼成容器。
【０２８８】
実施形態５１：破断線が、リムから周縁部への最短経路を辿って、周縁部と実質的に垂直な角度を形成する、実施形態４０〜５０のいずれか一項に記載の焼成容器。
【０２８９】
実施形態５２：破断線が、リムから周縁部への最短経路を辿らず、周縁部と実質的に垂直な角度を形成しない、実施形態４０〜５１のいずれか一項に記載の焼成容器。
【０２９０】
実施形態５３：帯が、側壁および／または平坦底面を形成する他の場所よりも厚い材料から形成される、実施形態４０〜５２のいずれか一項に記載の焼成容器。
【０２９１】
実施形態５４：帯の一部に沿って取り付けられた、引っ張りタブ、糸、ひだ、ステッカー、またはリボンをさらに備える、実施形態４０〜５３のいずれか一項に記載の焼成容器。
【０２９２】
実施形態５５：破断線が、ミシン目によって形成されている、実施形態４０〜５４のいずれか一項に記載の焼成容器。
【０２９３】
実施形態５６：外側側壁層をさらに備える、実施形態４０〜５５のいずれか一項に記載の焼成容器。
【０２９４】
実施形態５７：帯が、帯をつまんで、引いて、引き裂くように構成された１つ以上のひだをさらに備える、実施形態４０〜５６のいずれか一項に記載の焼成容器。
【０２９５】
実施形態５８：側壁が、平滑である、ダイカットされている、凹凸がある、ひだ付き、リブ付きである、波形である、またはプリーツ付きである、実施形態４０〜５７のいずれか一項に記載の焼成容器。
【０２９６】
実施形態５９：リムの一部に取り付けられた蓋をさらに備える、実施形態４０〜５８のいずれか一項に記載の焼成容器。
【０２９７】
実施形態６０：破断線が切り欠きでリムに接続される、実施形態１〜５９のいずれか一項に記載の焼成容器。
【０２９８】
実施形態６１：平坦底面上の破断線が湾曲している、実施形態１〜３６のいずれか一項に記載の焼成容器。
【０２９９】
実施形態６２：焼成容器が、２つの部分に完全に分離されるように構成されており、
焼成容器の１つの部分が、焼成容器が２つの部分に完全に分離されているときに、食品と接触したままになるように構成されており、および
さらなる実施形態では、食品と接触したままになるように構成された焼成容器の部分は、焼成容器の総側壁面積の５５〜８０％である残りの側壁面積を有する、実施形態１〜３６または６１のいずれか一項に記載の焼成容器
【０３００】
実施形態６３：焼成容器が、２つの部分に完全に分離されるように構成されており、
焼成容器の１つの部分が、焼成容器が２つの部分に完全に分離されているときに、食品と接触したままになるように構成されており、および
食品と接触したままになるように構成された焼成容器の部分は、焼成容器の全平坦底面積の１０〜４０％である残りの平坦底面積を有する、実施形態１〜３６、６１、または６２のいずれか一項に記載の焼成容器。
【０３０１】
実施形態６４：焼成容器であって、
周縁を有する平坦底面と、
周縁からリムまで延びる側壁と、および
リムから側壁上の第１の点対まで、および第１の点対から側壁の円周に沿って延びる２本の破断線と、を含み、
２本の破断線が、２本の破断線に沿って引き裂かれるように構成された帯を形成し、および
帯は、焼成容器の底面部分を食品と接触させたままにしながら、引き裂かれて、側壁を開き、側壁の中に含まれる食品からの取り外しおよび／または食品の消費を容易にするように構成される、焼成容器。
【０３０２】
実施形態６５：底面部分が、側壁の総高さの５〜５０％である高さを有する、実施形態６４に記載の焼成容器。
【０３０３】
実施形態６６：焼成容器であって、
周縁を有する平坦底面と、
周縁からリムまで延びる側壁と、
リムから側壁上の第１の点対まで延びる第１の破断線と；および
共に第１の点対から側壁の円周に沿って延びる第２の破断線および第３の破断線と、を含み、
第２および第３の破断線は、第２および第３の破断線に沿って引き裂かれるように構成された帯を形成し、および
帯は、焼成容器の底面部分を食品と接触させたままにしながら、引き裂かれて、側壁を開き、側壁の中に含まれる食品からの取り外しおよび／または食品の消費を容易にするように構成される、焼成容器。
【０３０４】
実施形態６７：底面部分が、側壁の総高さの５〜５０％である高さを有する、実施形態６６に記載の焼成容器。
【０３０５】
本明細書で使用される見出し（「背景」および「概要」など）および副見出しは、本発明内の主題の一般的な構成のみを意図し、本発明またはその任意の態様の開示を限定することを意図しない。特に、「背景」に開示される主題は、新規の技術を含んでいる場合もあり、従来技術の列挙を構成しない場合もある。「概要」に開示される主題は、技術またはその任意の実施形態の全範囲の網羅的または完全な開示ではない。特定の有用性を有する本明細書の章の中の材料の分類または考察は、便宜のために行われたものであり、材料が任意の所与の組成物で使用されるとき、材料が必ずしもまたは単にその分類に従って機能しなければならないという推論を引き出すべきではない。
【０３０６】
本明細書で使用される場合、「および／または」という用語は、関連する列挙されたアイテムのうちの１つ以上の任意のおよび全ての組み合わせを含み、「／」と略す場合もある。
【０３０７】
本明細書で使用される場合、「好ましい」および「好ましくは」という単語は、特定の状況下で特定の利益をもたらす技術の実施形態を指す。しかしながら、同じまたは他の状況下で、他の実施形態も好ましい場合がある。さらに、１つ以上の好ましい実施形態の列挙は、他の実施形態が有用でないことを示唆するものではなく、他の実施形態を技術の範囲から除外することを意図しない。
【０３０８】
本明細書で使用される場合、単語「含む」およびその変異形は、リスト内の項目の列挙が、この技術の材料、組成物、デバイス、および方法においても有用であり得る他の同様の項目を除外するものではないように、非限定的であることが意図される。同様に、「ｃａｎ」および「ｍａｙ」という用語、ならびにそれらの変異形は、ある実施形態が特定の要素または特徴を含むことができる、または含むことができる列挙が、それらの要素または特徴を含まない本発明の他の実施形態を除外しないように、非限定的であることが意図される。
【０３０９】
本明細書において、「第１の」、「第２の」等の用語は、様々な特徴／要素（ステップを含む）を説明するために使用してもよいが、文脈が別様を示さない限り、これらの特徴／要素は、これらの用語によって制限されるべきではない。これらの用語は、１つの特徴／要素を別の特徴／要素から区別するために使用されてもよい。したがって、以下に論じられる第１の特徴／要素は、第２の特徴／要素と称されてもよく、同様に、以下に論じられる第２の特徴／要素は、本発明の教示から逸脱することなく、第１の特徴／要素と称する場合がある。
【０３１０】
「の下」、「下方」、「下側」、「上方」、「上側」、「前」、「後」などの空間的相対用語は、本明細書では、図に例示されるように、１つの要素または特徴の別の要素（複数可）または特徴（複数可）との関係を説明するために使用する場合がある。空間的相対用語は、図に描かれる方位に加えて、使用または動作中のデバイスの異なる方位を包含することを意図することを理解されたい。例えば、図中のデバイスが反転される場合、他の要素または特徴の「下」または「の下」として記述される要素は、次いで、他の要素または特徴の「上」に配向されるであろう。したがって、例示的な「下」という用語は、上方および下の両方を包含することができる。デバイスは、別の方向に配向され（９０度または他の配向で回転され）、本明細書で使用される空間的に相対的な記述子は、それに応じて解釈されてもよい。同様に、「上向き」、「下向き」、「垂直」、「水平」等の用語は、本明細書において、別途具体的に示されない限り、説明の目的でのみ使用される。
【０３１１】
本明細書において、特徴または要素が別の特徴または要素の上と称される場合、それは、他の特徴または要素に直接存在することでもよく、または介在する特徴および／または要素も存在してもよい。対照的に、特徴または要素が別の特徴または要素上で「直接」と呼ばれる場合、介在する特徴または要素は存在しない。また、特徴または要素が別の特徴または要素に「接続されている」、「取り付けられている」、または「結合されている」と称されるとき、それは、他の特徴または要素に直接接続されてもよく、取り付けられてもよく、または結合されてもよく、または介在する特徴または要素が存在してもよいことも理解されるであろう。対照的に、特徴または要素が別の特徴または要素に「直接接続されている」、「直接取り付けられている」、または「直接結合されている」と呼ばれる場合、介在する特徴または要素は存在しない。一実施形態に関して説明または示されているが、そのように説明または示されている特徴および要素は、他の実施形態に適用されてもよい。また、「隣接する」別の特徴に配置される構造または特徴を参照することは、隣接する特徴と重複する部分またはその下にある部分を有し得ることも当業者に理解されるであろう。
【０３１２】
説明、図、および特定の実施例は、技術の実施形態を示すが、例示のみを目的とし、技術の範囲を限定することが意図されない。さらに、記載された特徴を有する複数の実施形態の列挙は、追加の特徴を有する他の実施形態、または記載された特徴の異なる組み合わせを組み込む他の実施形態を除外することを意図しない。特定の実施例は、本技術の組成物および方法の作製方法および使用方法の例示的な目的のために提供されたものであり、特に明示的に明記されない限り、本技術の所与の実施形態が作製された、または試験されていないという表現であることが意図されない。
【図１Ａ】
2021533050.tif 000003
【図１Ｂ】
2021533050.tif 000004
【図２Ａ】
2021533050.tif 000005
【図２Ｂ】
2021533050.tif 000006
【図３Ａ】
2021533050.tif 000007
【図３Ｂ】
2021533050.tif 000008
【図４Ａ】
2021533050.tif 000009
【図４Ｂ】
2021533050.tif 000010
【図５Ａ】
2021533050.tif 000011
【図５Ｂ】
2021533050.tif 000012
【図６Ａ】
2021533050.tif 000013
【図６Ｂ】
2021533050.tif 000014
【図７Ａ】
2021533050.tif 000015
【図７Ｂ】
2021533050.tif 000016
【図８Ａ】
2021533050.tif 000017
【図８Ｂ】
2021533050.tif 000018
【図９】
2021533050.tif 000019
【図１０】
2021533050.tif 000020
【図１１】
2021533050.tif 000021
【図１２】
2021533050.tif 000022
【図１３】
2021533050.tif 000023
【図１４】
2021533050.tif 000024
【図１５】
2021533050.tif 000025
【図１６Ａ】
2021533050.tif 000026
【図１６Ｂ】
2021533050.tif 000027
【図１７Ａ】
2021533050.tif 000028
【図１７Ｂ】
2021533050.tif 000029
【図１８】
2021533050.tif 000030
【図１９】
2021533050.tif 000031
【図２０】
2021533050.tif 000032
【図２１】
2021533050.tif 000033
【図２２】
2021533050.tif 000034
【図２３】
2021533050.tif 000035
【図２４】
2021533050.tif 000036
【図２５】
2021533050.tif 000037
【図２６】
2021533050.tif 000038
【図２７】
2021533050.tif 000039
【図２８】
2021533050.tif 000040
【図２９】
2021533050.tif 000041
【図３０】
2021533050.tif 000042
【図３１】
2021533050.tif 000043
【図３２】
2021533050.tif 000044
【図３３】
2021533050.tif 000045
【図３４】
2021533050.tif 000046
【図３５】
2021533050.tif 000047
【図３６】
2021533050.tif 000048
【図３７】
2021533050.tif 000049
【図３８】
2021533050.tif 000050
【図３９】
2021533050.tif 000051
【図４０】
2021533050.tif 000052
【図４１】
2021533050.tif 000053
【図４２】
2021533050.tif 000054
【図４３】
2021533050.tif 000055
【図４４】
2021533050.tif 000056
【図４５】
2021533050.tif 000057
【図４６】
2021533050.tif 000058
【図４７】
2021533050.tif 000059
【図４８】
2021533050.tif 000060
【図４９】
2021533050.tif 000061
【図５０】
2021533050.tif 000062
【図５１Ａ】
2021533050.tif 000063
【図５１Ｂ】
2021533050.tif 000064
【図５２】
2021533050.tif 000065
【図５３】
2021533050.tif 000066
【図５４】
2021533050.tif 000067
【図５５】
2021533050.tif 000068
【図５６】
2021533050.tif 000069
【図５７】
2021533050.tif 000070
【図５８】
2021533050.tif 000071
【図５９】
2021533050.tif 000072
【図６０】
2021533050.tif 000073
【図６１】
2021533050.tif 000074
【図６２】
2021533050.tif 000075
【図６３】
2021533050.tif 000076
【図６４】
2021533050.tif 000077
【図６５】
2021533050.tif 000078
【図６６】
2021533050.tif 000079
【図６７】
2021533050.tif 000080
【図６８】
2021533050.tif 000081
【図６９】
2021533050.tif 000082
【図７０】
2021533050.tif 000083
【図７１】
2021533050.tif 000084
【図７２Ａ】
2021533050.tif 000085
【図７２Ｂ】
2021533050.tif 000086
【図７３Ａ】
2021533050.tif 000087
【図７３Ｂ】
2021533050.tif 000088
【図７４Ａ】
2021533050.tif 000089
【図７４Ｂ】
2021533050.tif 000090
【図７５Ａ】
2021533050.tif 000091
【図７５Ｂ】
2021533050.tif 000092
【図７６Ａ】
2021533050.tif 000093
【図７６Ｂ】
2021533050.tif 000094
【図７７Ａ】
2021533050.tif 000095
【図７７Ｂ】
2021533050.tif 000096
【図７８】
2021533050.tif 000097
【図７９】
2021533050.tif 000098
【図８０】
2021533050.tif 000099
【図８１】
2021533050.tif 000100
【図８２】
2021533050.tif 000101
【図８３】
2021533050.tif 000102
【図８４】
2021533050.tif 000103
【図８５】
2021533050.tif 000104
【図８６】
2021533050.tif 000105
【図８７】
2021533050.tif 000106
【図８８】
2021533050.tif 000107
【図８９】
2021533050.tif 000108
【図９０】
2021533050.tif 000109
【図９１】
2021533050.tif 000110
【図９２】
2021533050.tif 000111
【図９３】
2021533050.tif 000112
【国際調査報告】
2021533050.tif 000113